(57)【要約】  ハンドオーバのためのリソース構成方法であって、第１ネットワークアクセスポイントは、第２ネットワークアクセスポイントとの間のハンドオーバリソースプール構成情報を確定することと、前記第１ネットワークアクセスポイントは、前記ハンドオーバリソースプール構成情報を移動局に送信することと、前記第１ネットワークアクセスポイントは、前記移動局に第１指示情報を送信することとを含み、前記第１指示情報は、前記移動局が前記ハンドオーバリソースプール内のハンドオーバリソースを使用して、前記第１ネットワークアクセスポイント、前記第２ネットワークアクセスポイント、及び他の移動局のうちの少なくとも１つと通信を行うことを指示するために用いられる。本発明の実施例において、移動局の移動において予測可能な方向性を有するという特徴を利用し、ハンドオーバリソースという概念を導入して、ネットワークアクセスポイントの間でハンドオーバリソースを予め協調し、移動局がハンドオーバを行う必要がある場合、該ハンドオーバリソースを使用してハンドオーバを行って、ハンドオーバの中断時間を減少させる。
2019507966.tif 000002
【特許請求の範囲】
【請求項１】
ハンドオーバのためのリソース構成方法であって、
第１ネットワークアクセスポイントは、第２ネットワークアクセスポイントとの間のハンドオーバリソースプール構成情報を確定することと、
前記第１ネットワークアクセスポイントは、前記ハンドオーバリソースプール構成情報を移動局に送信することと、
前記第１ネットワークアクセスポイントは、前記移動局に第１指示情報を送信することとを含み、
前記第１指示情報が、前記移動局が前記ハンドオーバリソースプール内のハンドオーバリソースを使用して通信を行うことを指示するために用いられる、前記ハンドオーバのためのリソース構成方法。
【請求項２】
前記第１ネットワークアクセスポイントは、第２ネットワークアクセスポイントとの間のハンドオーバリソースプール構成情報を確定することは、
前記第１ネットワークアクセスポイントは、前記第１ネットワークアクセスポイントと前記第２ネットワークアクセスポイントとの通信インターフェースを介して、前記第２ネットワークアクセスポイントと協調し、前記ハンドオーバリソースプール構成情報を確定することを含む
請求項１に記載のハンドオーバのためのリソース構成方法。
【請求項３】
前記ハンドオーバリソースプールにおける前記ハンドオーバリソースの構成情報は、
物理時間周波数リソースブロックの位置情報、変調符号化方式情報、基準信号の構成情報、アンテナ構成情報のうちの少なくとも１つを含む
請求項１又は２に記載のハンドオーバのためのリソース構成方法。
【請求項４】
前記第１ネットワークアクセスポイントは、前記ハンドオーバリソースプール構成情報を移動局に送信することは、
前記移動局が前記第１ネットワークアクセスポイントのネットワークにアクセスする時に、前記ハンドオーバリソースプール構成情報を前記移動局に送信すること、又は、
前記移動局が前記第１ネットワークアクセスポイントのネットワークにアクセスした後に、前記ハンドオーバリソースプール構成情報を前記移動局に送信すること、又は、
前記移動局が間もなく前記第１ネットワークアクセスポイントから前記第２ネットワークアクセスポイントにハンドオーバすることが確定された場合、前記ハンドオーバリソースプール構成情報を前記移動局に送信することを含む
請求項１〜３のいずれか１項に記載のハンドオーバのためのリソース構成方法。
【請求項５】
前記第１ネットワークアクセスポイントは、前記移動局に第１指示情報を送信することは、
前記移動局が間もなく前記第１ネットワークアクセスポイントから前記第２ネットワークアクセスポイントにハンドオーバすることが確定された場合、前記移動局に前記第１指示情報を送信することを含む
請求項１〜４のいずれか１項に記載のハンドオーバのためのリソース構成方法。
【請求項６】
前記移動局に第１指示情報を送信する前に、前記ハンドオーバのためのリソース構成方法は、さらに、
前記移動局の移動軌跡に基づいて、前記移動局が間もなくハンドオーバするかどうかを判断すること、又は、
前記移動局によりフィードバックされた測定信号の強度に基づいて、前記移動局が間もなくハンドオーバするかどうかを判断すること、又は、
前記移動局の移動軌跡と移動速度に基づいて、前記移動局が間もなくハンドオーバするかどうかを判断することを含む
請求項５に記載のハンドオーバのためのリソース構成方法。
【請求項７】
前記ハンドオーバリソースプール構成情報を前記移動局に送信することは、
システム情報ブロードキャストによって、前記ハンドオーバリソースプール構成情報を前記移動局に送信すること、又は、
制御シグナリングによって、前記ハンドオーバリソースプール構成情報を前記移動局に送信することを含む
請求項１〜６のいずれか１項に記載のハンドオーバのためのリソース構成方法。
【請求項８】
前記第１指示情報は、物理層制御シグナリングのリザーブ情報ビットによって示され、又は、
前記第１指示情報は、割り当てた新しい無線ネットワーク一時識別子（ＲＮＴＩ）によって示され、又は、
前記第１指示情報は、新しい物理層制御シグナリングフォーマットによって示される
請求項１〜７のいずれか１項に記載のハンドオーバのためのリソース構成方法。
【請求項９】
前記ハンドオーバのためのリソース構成方法は、さらに、
前記移動局が前記ハンドオーバリソースを使用して送信したアップリンクデータを受信することを含む
請求項１〜８のいずれか１項に記載のハンドオーバのためのリソース構成方法。
【請求項１０】
前記移動局が前記ハンドオーバリソースを使用して送信したアップリンクデータを受信することは、
前記第１ネットワークアクセスポイントは、少なくとも１つの他のネットワークアクセスポイントと協調し、前記移動局が前記ハンドオーバリソースを使用して送信した前記アップリンクデータを受信することを含む
請求項９に記載のハンドオーバのためのリソース構成方法。
【請求項１１】
前記第１ネットワークアクセスポイントと前記少なくとも１つの他のネットワークアクセスポイントとは、全く同じ又は全く異なる物理リソース構成情報を使用して、前記移動局が前記ハンドオーバリソースを使用して送信した前記アップリンクデータを受信する
請求項１０に記載のハンドオーバのためのリソース構成方法。
【請求項１２】
前記少なくとも１つの他のネットワークアクセスポイントは、前記第２ネットワークアクセスポイントを含む
請求項１０又は１１に記載のハンドオーバのためのリソース構成方法。
【請求項１３】
前記移動局が前記ハンドオーバリソースを使用して送信したアップリンクデータを受信することは、
前記移動局により送信された複数の同じアップリンクデータパケットを受信し、その中の１つのアップリンクデータパケットをアップリンク受信データパケットとして確定し、該アップリンク受信データパケット内の前記アップリンクデータを取得することを含む
請求項９〜１２のいずれか１項に記載のハンドオーバのためのリソース構成方法。
【請求項１４】
前記ハンドオーバのためのリソース構成方法は、さらに、
前記第１ネットワークアクセスポイントは前記移動局にダウンリンクデータを送信することを含む
請求項１〜１３のいずれか１項に記載のハンドオーバのためのリソース構成方法。
【請求項１５】
前記移動局にダウンリンクデータを送信することは、
前記第１ネットワークアクセスポイントは、少なくとも１つの他のネットワークアクセスポイントと協調し、前記移動局に前記ダウンリンクデータを送信することを含む
請求項１４に記載のハンドオーバのためのリソース構成方法。
【請求項１６】
前記第１ネットワークアクセスポイントと前記少なくとも１つの他のネットワークアクセスポイントは、全く同じ又は全く異なる物理リソース構成情報を使用して、前記移動局に前記ダウンリンクデータを送信する
請求項１５に記載のハンドオーバのためのリソース構成方法。
【請求項１７】
前記少なくとも１つの他のネットワークアクセスポイントは、前記第２ネットワークアクセスポイントを含む
請求項１５又は１６に記載のハンドオーバのためのリソース構成方法。
【請求項１８】
前記移動局にダウンリンクデータを送信することは、
前記移動局がその中の１つのダウンリンクデータパケットをダウンリンク受信データパケットとして確定し、該ダウンリンク受信データパケット内の前記ダウンリンクデータを取得することができるように、前記移動局に複数の同じダウンリンクデータパケットを送信することを含む
請求項１４〜１７のいずれか１項に記載のハンドオーバのためのリソース構成方法。
【請求項１９】
前記第１ネットワークアクセスポイントは前記第２ネットワークアクセスポイントに同期し、又は、前記第１ネットワークアクセスポイントと前記第２ネットワークアクセスポイントとの間に固定の第１タイミングオフセット値を有する
請求項１〜１８のいずれか１項に記載のハンドオーバのためのリソース構成方法。
【請求項２０】
前記第１ネットワークアクセスポイントは前記移動局に同期し、又は、前記第１ネットワークアクセスポイントと前記移動局との間に固定の第２タイミングオフセット値を有する
請求項１〜１９のいずれか１項に記載のハンドオーバのためのリソース構成方法。
【請求項２１】
前記ハンドオーバのためのリソース構成方法は、さらに、
前記第１ネットワークアクセスポイントは前記移動局に第２指示情報を送信することを含み、ここで、前記第２指示情報は、前記第１ネットワークアクセスポイントと前記第２ネットワークアクセスポイントとの間の同期情報、前記移動局の速度情報、前記移動局の運動軌跡情報のうちの少なくとも１つを含む
請求項１〜２０のいずれか１項に記載のハンドオーバのためのリソース構成方法。
【請求項２２】
ハンドオーバのためのリソース構成方法であって、
移動局は、第１ネットワークアクセスポイントにより送信されたハンドオーバリソースプール構成情報を取得することと、
前記移動局は、前記第１ネットワークアクセスポイントにより送信された第１指示情報を受信することと、
前記移動局は、前記第１指示情報に従って、前記ハンドオーバリソースを使用して前記第１ネットワークアクセスポイント、第２ネットワークアクセスポイント、他の移動局のうちの少なくとも１つと通信することとを含み、
前記第１指示情報が、前記移動局が前記ハンドオーバリソースプール内のハンドオーバリソースを使用することを指示するために用いられる、前記ハンドオーバのためのリソース構成方法。
【請求項２３】
前記移動局は、第１ネットワークアクセスポイントにより送信されたハンドオーバリソースプール構成情報を取得することは、
前記移動局は、前記第１ネットワークアクセスポイントのネットワークにアクセスする時に、前記第１ネットワークアクセスポイントにより送信された前記ハンドオーバリソースプール構成情報を受信すること、又は、
前記移動局は、前記第１ネットワークアクセスポイントのネットワークにアクセスした後に、前記第１ネットワークアクセスポイントにより送信された前記ハンドオーバリソースプール構成情報を受信すること、又は、
前記移動局は、間もなく前記第１ネットワークアクセスポイントから前記第２ネットワークアクセスポイントにハンドオーバする時に、前記第１ネットワークアクセスポイントにより送信された前記ハンドオーバリソースプール構成情報を受信することを含む
請求項２２に記載のハンドオーバのためのリソース構成方法。
【請求項２４】
前記ハンドオーバリソースプール構成情報は、前記第１ネットワークアクセスポイントによりシステム情報ブロードキャストで送信され、又は、
前記ハンドオーバリソースプール構成情報は、前記第１ネットワークアクセスポイントにより制御シグナリングで送信される
請求項２２又は２３に記載のハンドオーバのためのリソース構成方法。
【請求項２５】
前記第１指示情報は、物理層制御シグナリングのリザーブ情報ビットによって示され、又は、
前記第１指示情報は、割り当てた新しい無線ネットワーク一時識別子（ＲＮＴＩ）によって示され、又は、
前記第１指示情報は、新しい物理層制御シグナリングフォーマットによって示される
請求項２２〜２４のいずれか１項に記載のハンドオーバのためのリソース構成方法。
【請求項２６】
前記第１ネットワークアクセスポイント、前記第２ネットワークアクセスポイント、他の移動局のうちの少なくとも１つと通信することは、
前記移動局が前記ハンドオーバリソースを使用してアップリンクデータを送信して、前記第１ネットワークアクセスポイント及び/又は前記第２ネットワークアクセスポイントが前記アップリンクデータを受信することを含む
請求項２２〜２５のいずれか１項に記載のハンドオーバのためのリソース構成方法。
【請求項２７】
前記移動局は前記ハンドオーバリソースを使用してアップリンクデータを送信することは、
前記移動局は、前記アップリンクデータが前記第１ネットワークアクセスポイント及び前記第２ネットワークアクセスポイントに同時に到達するように、前記ハンドオーバリソースを使用して、所定のサイクリックプレフィックス（ＣＰ）値で前記アップリンクデータを送信することを含み、
ここで、前記所定のＣＰ値が固定の閾値より大きい
請求項２６に記載のハンドオーバのためのリソース構成方法。
【請求項２８】
前記第１ネットワークアクセスポイント、前記第２ネットワークアクセスポイント、他の移動局のうちの少なくとも１つと通信することは、
前記移動局は、前記ハンドオーバリソースを使用して前記第１ネットワークアクセスポイント及び／又は前記第２ネットワークアクセスポイントにより送信されたダウンリンクデータを受信することを含む
請求項２２〜２５のいずれか１項に記載のハンドオーバのためのリソース構成方法。
【請求項２９】
前記移動局は、前記ハンドオーバリソースを使用して前記第１ネットワークアクセスポイント及び／又は前記第２ネットワークアクセスポイントにより送信されたダウンリンクデータを受信することは、
前記移動局は、前記第１ネットワークアクセスポイント及び／又は前記第２ネットワークアクセスポイントにより送信された複数の同じダウンリンクデータパケットを受信することと、
前記複数の同じダウンリンクデータパケットのうちの１つをダウンリンク受信データパケットとして確定することと、
前記ダウンリンク受信データパケット内の前記ダウンリンクデータを取得することとを含む
請求項２８に記載のハンドオーバのためのリソース構成方法。
【請求項３０】
前記第１ネットワークアクセスポイント、前記第２ネットワークアクセスポイント、他の移動局のうちの少なくとも１つと通信することは、
前記移動局は、前記ハンドオーバリソースを使用して前記他の移動局により送信された第１データを受信すること、及び／又は、
前記移動局は、前記ハンドオーバリソースを使用して前記他の移動局に第２データを送信することを含む
請求項２２〜２５のいずれか１項に記載のハンドオーバのためのリソース構成方法。
【請求項３１】
前記移動局は前記第１ネットワークアクセスポイントに同期し、又は、前記移動局と前記第１ネットワークアクセスポイントとの間に固定の第２タイミングオフセット値を有する
請求項２２〜３０のいずれか１項に記載のハンドオーバのためのリソース構成方法。
【請求項３２】
前記ハンドオーバリソースプールにおける前記ハンドオーバリソースの構成情報は、
物理時間周波数リソースブロックの位置情報、変調符号化構成情報、基準信号の構成情報、アンテナ構成情報のうちの少なくとも１つを含む
請求項２２〜３１のいずれか１項に記載のハンドオーバのためのリソース構成方法。
【請求項３３】
前記ハンドオーバのためのリソース構成方法は、さらに、
前記移動局は前記第１ネットワークアクセスポイントにより送信された第２指示情報を受信することと、
前記移動局は、前記第２指示情報に従って、前記第２ネットワークアクセスポイントのアップリンク同期情報を取得することとを含み、
前記第２指示情報が、前記第１ネットワークアクセスポイントと前記第２ネットワークアクセスポイントとの間の同期情報、前記移動局の速度情報、前記移動局の運動軌跡情報のうちの少なくとも１つを含む
請求項２２〜３２のいずれか１項に記載のハンドオーバのためのリソース構成方法。
【請求項３４】
ネットワークアクセスポイントであって、
前記ネットワークアクセスポイントは、第１ネットワークアクセスポイントであり、確定ユニット及び送信ユニットを含み、
前記確定ユニットは、第２ネットワークアクセスポイントとの間のハンドオーバリソースプール構成情報を確定するように構成され、
前記送信ユニットは、前記確定ユニットにより確定された前記ハンドオーバリソースプール構成情報を移動局に送信するように構成され、
前記送信ユニットは、さらに、前記移動局に第１指示情報を送信するように構成され、
前記第１指示情報が、前記移動局が前記ハンドオーバリソースプール内のハンドオーバリソースを使用して通信を行うことを指示するために用いられる、前記ネットワークアクセスポイント。
【請求項３５】
前記確定ユニットは、具体的に、
前記第１ネットワークアクセスポイントと前記第２ネットワークアクセスポイントとの通信インターフェースを介して、前記第２ネットワークアクセスポイントと協調し、前記ハンドオーバリソースプール構成情報を確定するように構成される
請求項３４に記載のネットワークアクセスポイント。
【請求項３６】
前記ハンドオーバリソースプールにおける前記ハンドオーバリソースの構成情報は、
物理時間周波数リソースブロックの位置情報、変調符号化方式情報、基準信号の構成情報、アンテナ構成情報のうちの少なくとも１つを含む
請求項３４又は３５に記載のネットワークアクセスポイント。
【請求項３７】
前記送信ユニットは、具体的に、
前記移動局が前記第１ネットワークアクセスポイントのネットワークにアクセスする時に、前記ハンドオーバリソースプール構成情報を前記移動局に送信し、又は、
前記移動局が前記第１ネットワークアクセスポイントのネットワークにアクセスした後に、前記ハンドオーバリソースプール構成情報を前記移動局に送信し、又は、
前記移動局が間もなく前記第１ネットワークアクセスポイントから前記第２ネットワークアクセスポイントにハンドオーバすることが確定された場合、前記ハンドオーバリソースプール構成情報を前記移動局に送信するように構成される
請求項３４〜３６のいずれか１項に記載のネットワークアクセスポイント。
【請求項３８】
前記送信ユニットは、具体的に、
前記移動局が間もなく前記第１ネットワークアクセスポイントから前記第２ネットワークアクセスポイントにハンドオーバすることが確定された場合、前記移動局に前記第１指示情報を送信するように構成される
請求項３４〜３７のいずれか１項に記載のネットワークアクセスポイント。
【請求項３９】
前記確定ユニットは、さらに、
前記移動局の移動軌跡に基づいて、前記移動局が間もなくハンドオーバするかどうかを判断し、又は、
前記移動局によりフィードバックされた測定信号の強度に基づいて、前記移動局が間もなくハンドオーバするかどうかを判断し、又は、
前記移動局の移動軌跡と移動速度に基づいて、前記移動局が間もなくハンドオーバするかどうかを判断するように構成される
請求項３８に記載のネットワークアクセスポイント。
【請求項４０】
前記送信ユニットは、具体的に、
システム情報ブロードキャストによって、前記ハンドオーバリソースプール構成情報を前記移動局に送信し、又は、
制御シグナリングによって、前記ハンドオーバリソースプール構成情報を前記移動局に送信するように構成される
請求項３４〜３９のいずれか１項に記載のネットワークアクセスポイント。
【請求項４１】
前記第１指示情報は、物理層制御シグナリングのリザーブ情報ビットによって示され、又は、
前記第１指示情報は、割り当てた新しい無線ネットワーク一時識別子（ＲＮＴＩ）によって示され、又は、
前記第１指示情報は、新しい物理層制御シグナリングフォーマットによって示される
請求項３４〜４０のいずれか１項に記載のネットワークアクセスポイント。
【請求項４２】
受信ユニットをさらに含み、
前記受信ユニットは、前記移動局が前記ハンドオーバリソースを使用して送信したアップリンクデータを受信するように構成される
請求項３４〜４１のいずれか１項に記載のネットワークアクセスポイント。
【請求項４３】
前記受信ユニットは、具体的に、
少なくとも１つの他のネットワークアクセスポイントと協調し、前記移動局により前記ハンドオーバリソースで送信された前記アップリンクデータを受信するように構成される
請求項４２に記載のネットワークアクセスポイント。
【請求項４４】
前記受信ユニットは、具体的に、
前記第１ネットワークアクセスポイントと前記少なくとも１つの他のネットワークアクセスポイントは、全く同じ又は全く異なる物理リソース構成情報を使用して、前記移動局が前記ハンドオーバリソースを使用して送信した前記アップリンクデータを受信するように構成される
請求項４３に記載のネットワークアクセスポイント。
【請求項４５】
前記少なくとも１つの他のネットワークアクセスポイントは、前記第２ネットワークアクセスポイントを含む
請求項４３又は４４に記載のネットワークアクセスポイント。
【請求項４６】
前記受信ユニットは、具体的に、
前記移動局により送信された複数の同じアップリンクデータパケットを受信し、その中の１つのアップリンクデータパケットをアップリンク受信データパケットとして確定し、該アップリンク受信データパケット内の前記アップリンクデータを取得するように構成される
請求項４２〜４５のいずれか１項に記載のネットワークアクセスポイント。
【請求項４７】
前記送信ユニットは、さらに、
前記移動局にダウンリンクデータを送信するように構成される
請求項３４〜４６のいずれか１項に記載のネットワークアクセスポイント。
【請求項４８】
前記送信ユニットは、具体的に、
少なくとも１つの他のネットワークアクセスポイントと協調し、前記移動局に前記ダウンリンクデータを送信するように構成される
請求項４７に記載のネットワークアクセスポイント。
【請求項４９】
前記送信ユニットは、具体的に、
前記第１ネットワークアクセスポイントと前記少なくとも１つの他のネットワークアクセスポイントに全く同じ又は全く異なる物理リソース構成情報を使用して、前記移動局に前記ダウンリンクデータを送信するように構成される
請求項４８に記載のネットワークアクセスポイント。
【請求項５０】
前記少なくとも１つの他のネットワークアクセスポイントは、前記第２ネットワークアクセスポイントを含む
請求項４８又は４９に記載のネットワークアクセスポイント。
【請求項５１】
前記送信ユニットは、具体的に、
前記移動局がその中の１つのダウンリンクデータパケットをダウンリンク受信データパケットとして確定し、該ダウンリンク受信データパケット内の前記ダウンリンクデータを取得することができるように、前記移動局に複数の同じダウンリンクデータパケットを送信するように構成される
請求項４７〜５０のいずれか１項に記載のネットワークアクセスポイント。
【請求項５２】
前記第１ネットワークアクセスポイントは前記第２ネットワークアクセスポイントに同期し、又は、前記第１ネットワークアクセスポイントと前記第２ネットワークアクセスポイントとの間に固定の第１タイミングオフセット値を有する
請求項３４〜５１のいずれか１項に記載のネットワークアクセスポイント。
【請求項５３】
前記第１ネットワークアクセスポイントは前記移動局に同期し、又は、前記第１ネットワークアクセスポイントと前記移動局との間に固定の第２タイミングオフセット値を有する
請求項３４〜５２のいずれか１項に記載のネットワークアクセスポイント。
【請求項５４】
前記送信ユニットは、さらに、
前記移動局に第２指示情報を送信するように構成され、
ここで、前記第２指示情報が、前記第１ネットワークアクセスポイントと前記第２ネットワークアクセスポイントとの間の同期情報、前記移動局の速度情報、前記移動局の運動軌跡情報のうちの少なくとも１つを含む
請求項３４〜５３のいずれか１項に記載のネットワークアクセスポイント。
【請求項５５】
移動局であって、
第１ネットワークアクセスポイントにより送信されたハンドオーバリソースプール構成情報を取得するように構成される取得ユニットと、
前記第１ネットワークアクセスポイントにより送信された第１指示情報を受信するように構成される受信ユニットと、
前記受信ユニットにより受信された前記第１指示情報に従って、ハンドオーバリソースを使用して、前記第１ネットワークアクセスポイント、第２ネットワークアクセスポイント、他の移動局のうちの少なくとも１つと通信するように構成される通信ユニットとを含み、
前記第１指示情報が、前記移動局が前記取得ユニットにより取得された前記ハンドオーバリソースプール内のハンドオーバリソースを使用することを指示するために用いられる、前記移動局。
【請求項５６】
前記取得ユニットは、第１受信サブユニットを含み、
前記第１受信サブユニットは、
前記移動局が前記第１ネットワークアクセスポイントのネットワークにアクセスする時に、前記第１ネットワークアクセスポイントにより送信された前記ハンドオーバリソースプール構成情報を受信し、又は、
前記移動局が前記第１ネットワークアクセスポイント的ネットワークにアクセスした後に、前記第１ネットワークアクセスポイントにより送信された前記ハンドオーバリソースプール構成情報を受信し、又は、
前記移動局が間もなく前記第１ネットワークアクセスポイントから前記第２ネットワークアクセスポイントにハンドオーバする時に、前記第１ネットワークアクセスポイントにより送信された前記ハンドオーバリソースプール構成情報を受信するように構成される
請求項５５に記載の移動局。
【請求項５７】
前記ハンドオーバリソースプール構成情報は、前記第１ネットワークアクセスポイントがシステム情報ブロードキャストによって送信され、
又は、
前記ハンドオーバリソースプール構成情報は、前記第１ネットワークアクセスポイントが制御シグナリングによって送信される
請求項５５又は５６に記載の移動局。
【請求項５８】
前記第１指示情報は、物理層制御シグナリングのリザーブ情報ビットによって示され、又は、
前記第１指示情報は、割り当てた新しい無線ネットワーク一時識別子（ＲＮＴＩ）によって示され、又は、
前記第１指示情報は、新しい物理層制御シグナリングフォーマットによって示される
請求項５５〜５７のいずれか１項に記載の移動局。
【請求項５９】
前記通信ユニットは、送信サブユニットを含み、
前記送信サブユニットは、
前記第１ネットワークアクセスポイント及び／又は前記第２ネットワークアクセスポイントが前記アップリンクデータを受信するように、前記ハンドオーバリソースを使用してアップリンクデータを送信するように構成される
請求項５５〜５８のいずれか１項に記載の移動局。
【請求項６０】
前記送信サブユニットは、具体的に、
前記アップリンクデータが前記第１ネットワークアクセスポイント及び前記第２ネットワークアクセスポイントに同時に到達するように、前記ハンドオーバリソースを使用して所定のサイクリックプレフィックス（ＣＰ）値で前記アップリンクデータを送信するように構成され、
ここで、前記所定のＣＰ値は固定の閾値より大きい
請求項５９に記載の移動局。
【請求項６１】
前記通信ユニットは第２受信サブユニットを含み、
前記第２受信サブユニットは、
前記ハンドオーバリソースを使用して前記第１ネットワークアクセスポイント及び／又は前記第２ネットワークアクセスポイントにより送信されたダウンリンクデータを受信するように構成される
請求項５５〜５８のいずれか１項に記載の移動局。
【請求項６２】
前記通信ユニットは、さらに、確定サブユニット及び取得サブユニットを含み、
前記第２受信サブユニットは、具体的に、前記第１ネットワークアクセスポイント及び／又は前記第２ネットワークアクセスポイントにより送信された複数の同じダウンリンクデータパケットを受信するように構成され、
前記確定サブユニットは、前記第２受信サブユニットにより受信された前記複数の同じダウンリンクデータパケットのうちの１つをダウンリンク受信データパケットとして確定するように構成され、
前記取得サブユニットは、前記確定サブユニットにより確定された前記ダウンリンク受信データパケットの前記ダウンリンクデータを取得するように構成される
請求項６１に記載の移動局。
【請求項６３】
前記通信ユニットは、具体的に、
前記ハンドオーバリソースを使用して前記他の移動局により送信された第１データを受信し、及び／又は、
前記ハンドオーバリソースを使用して前記他の移動局に第２データを送信するように構成される
請求項５５〜５８のいずれか１項に記載の移動局。
【請求項６４】
前記移動局は前記第１ネットワークアクセスポイントに同期し、又は、前記移動局と前記第１ネットワークアクセスポイントとの間に固定の第２タイミングオフセット値を有する
請求項５５〜６３のいずれか１項に記載の移動局。
【請求項６５】
前記ハンドオーバリソースプールにおける前記ハンドオーバリソースの構成情報は、
物理時間周波数リソースブロックの位置情報、変調符号化方式情報、基準信号の構成情報、アンテナ構成情報のうちの少なくとも１つを含む
請求項５５〜６４のいずれか１項に記載の移動局。
【請求項６６】
前記受信ユニットは、さらに、
前記第１ネットワークアクセスポイントにより送信された第２指示情報を受信し、
前記第２指示情報に従って、前記第２ネットワークアクセスポイントのアップリンク同期情報を取得するように構成され、
前記第２指示情報は、前記第１ネットワークアクセスポイントと前記第２ネットワークアクセスポイントとの間の同期情報、前記移動局の速度情報、前記移動局の運動軌跡情報のうちの少なくとも１つを含む
請求項５５〜６５のいずれか１項に記載の移動局。
【発明の詳細な説明】
【技術分野】
【０００１】
本発明の実施例は、通信分野に関し、具体的に、ハンドオーバのためのリソース構成方法、ネットワークアクセスポイント及び移動局に関する。
【背景技術】
【０００２】
未来のネットワークシステムは、その応用分野を車輌−Ｘ（Ｖ２Ｘ：Ｖｅｈｉｃｌｅ  ｔｏ  Ｘ）の通信に拡張し、車輌−車輌（Ｖ２Ｖ：Ｖｅｈｉｃｌｅ  ｔｏ  Ｖｅｈｉｃｌｅ）通信、車輌−道路（Ｖ２Ｉ：Ｖｅｈｉｃｌｅ  ｔｏ  Ｉｎｆｒａｓｔｒｕｃｔｕｒｅ）通信、車輌−歩行者（Ｖ２Ｐ：Ｖｅｈｉｃｌｅ  ｔｏ  Ｐｅｄｅｓｔｒｉａｎ）通信、歩行者−車輌（Ｐ２Ｖ：Ｐｅｄｅｓｔｒｉａｎ  ｔｏ  Ｖｅｈｉｃｌｅ）通信等を含む。
【０００３】
Ｖ２Ｘ通信は、交通通行効率を効率的に向上させ、交通事故を回避し、車の運転リスクを低減することができ、研究によって、Ｖ２Ｖ通信は、アメリカ国内において死傷者が出ていない約８２％の衝突事故及び約４０％の交差点の衝突事故を解決することができることが明らかである。
【０００４】
Ｖ２Ｘ通信過程において、車輌は常にネットワークに接続される必要があり、それによって、ネットワーク側の情報を有効に受信し、リソース割当の信頼性を確保し、データ伝送の効率を向上させる。しかしながら、いくつかのシーンにおいて、ネットワークのカバーされない場合、車輌は通常に予め構成されたリソースによって通信を行い、そうすると、多くの接続されている車輌が順序良く情報のインタラクティブを行うことを確保することができなく、無線ネットワークのリソース使用効率を大きく下げる。そして、未来のＶ２Ｘ通信は、圧倒的多数の範囲において、車輌とネットワークとの通信に依存するため、車輌とネットワークとのスムーズな接続を確保する必要があり、そしてネットワークの車輌への系統的なスケジューリング及びリソース割当を確保する。
【０００５】
この過程において、車輌が継続して移動し、しかもある状況で速度が速いため、如何に、車輌が異なるネットワークアクセスポイントとの間で成功にハンドオーバを行うことを確保するのは、解決すべき課題となる。
【０００６】
従来のセルラネットワークにハンドオーバを確保するためのメカニズムが存在するが、現行のハンドオーバプロセスにおいて、大きい伝送中断の遅延があり、しかも高速に運転する移動局によるチャネルの瞬間的な変更等の課題を有効に解決することができない。
【発明の概要】
【発明が解決しようとする課題】
【０００７】
本発明の実施例は、ハンドオーバ過程おいて移動局が正常に通信を行うことを確保する可能なハンドオーバのためのリソース構成方法を提供する。
【課題を解決するための手段】
【０００８】
第１形態は、ハンドオーバのためのリソース構成方法を提供し、前記方法は、
第１ネットワークアクセスポイントは、第２ネットワークアクセスポイントとのハンドオーバリソースプール構成情報を確定することと、
前記第１ネットワークアクセスポイントは、前記ハンドオーバリソースプール構成情報を移動局に送信することと、
前記第１ネットワークアクセスポイントは、前記移動局に第１指示情報を送信することと、を含み、
前記第１指示情報は、前記移動局が前記ハンドオーバリソースプール内のハンドオーバリソースを使用して通信を行うことを指示するために用いられる。
【０００９】
本発明の実施例における移動局は、Ｖ２Ｘにおける端末装置であってもよく、このように、Ｖ２Ｘ移動局の移動に予測可能な方向性を有するという特徴を利用し、ハンドオーバリソースという概念を導入して、ネットワークアクセスポイントの間でハンドオーバリソースを予め協調し、Ｖ２Ｘ移動局がハンドオーバを行う必要がある場合、該ハンドオーバリソースを使用してハンドオーバを行ことができる。このように、Ｖ２Ｘ移動局は、ハンドオーバする前に、ターゲットセル（即第２ネットワークアクセスポイント）を配置することができ、ハンドオーバの中断時間を減少させる。
【００１０】
第１形態を結合し、第１形態の第１実現可能な方式において、前記第１ネットワークアクセスポイントは、第２ネットワークアクセスポイントとの間のハンドオーバリソースプール構成情報を確定することは、前記第１ネットワークアクセスポイントは、通信インターフェースを介して、前記第２ネットワークアクセスポイントと協調し、前記ハンドオーバリソースプール構成情報を確定する。ここで、前記通信インターフェースは、前記第１ネットワークアクセスポイントと前記第２ネットワークアクセスポイントとの間のＸ２インターフェースである。
【００１１】
第１形態又は第１形態の第１実現可能な方式を結合し、第１形態の第２実現可能な方式において、前記第１ネットワークアクセスポイントは、前記ハンドオーバリソースプール構成情報を移動局に送信することは、前記移動局が前記第１ネットワークアクセスポイントのネットワークにアクセスする時に、前記ハンドオーバリソースプール構成情報を前記移動局に送信すること、又は、前記移動局が前記第１ネットワークアクセスポイントのネットワークにアクセスした後に、前記ハンドオーバリソースプール構成情報を前記移動局に送信すること、又は、前記移動局が間もなく前記第１ネットワークアクセスポイントから前記第２ネットワークアクセスポイントにハンドオーバすることが確定された場合、前記ハンドオーバリソースプール構成情報を前記移動局に送信することを含む。
【００１２】
第１形態又は第１形態の以上のいずれの実現可能な方式を結合し、第１形態の第３実現可能な方式において、前記第１ネットワークアクセスポイントは、前記移動局に第１指示情報を送信することは、前記移動局が間もなく前記第１ネットワークアクセスポイントから前記第２ネットワークアクセスポイントにハンドオーバすることが確定された場合、前記移動局に前記第１指示情報を送信することを含む。
【００１３】
第１形態又は第１形態の以上のいずれの実現可能な方式を結合し、第１形態の第４実現可能な方式において、前記移動局に第１指示情報を送信する前に、前記方法は、さらに、前記移動局の移動軌跡に基づいて、前記移動局が間もなくハンドオーバするかどうかを判断すること、又は、前記移動局によりフィードバックされた測定信号の強度に基づいて、前記移動局が間もなくハンドオーバするかどうかを判断すること、又は、前記移動局の移動軌跡と移動速度に基づいて、前記移動局が間もなくハンドオーバするかどうかを判断することを含む。
【００１４】
第１形態又は第１形態の以上のいずれの実現可能な方式を結合、第１形態の第５実現可能な方式において、前記ハンドオーバリソースプール構成情報を前記移動局に送信することは、システム情報ブロードキャストによって、前記ハンドオーバリソースプール構成情報を前記移動局に送信すること、又は、制御シグナリングによって、前記ハンドオーバリソースプール構成情報を前記移動局に送信することを含む。
【００１５】
第１形態又は第１形態の以上のいずれの実現可能な方式を結合し、第１形態の第６実現可能な方式において、前記方法は、さらに、前記移動局が前記ハンドオーバリソースを使用して送信したアップリンクデータを受信することを含む。
【００１６】
第１形態の第６実現可能な方式を結合し、第１形態の第７実現可能な方式において、前記移動局が前記ハンドオーバリソースを使用して送信したアップリンクデータを受信することは、前記第１ネットワークアクセスポイントは、少なくとも１つの他のネットワークアクセスポイントと協調し、前記移動局が前記ハンドオーバリソースを使用して送信した前記アップリンクデータを受信することを含む。
【００１７】
選択的なものとして、前記第１ネットワークアクセスポイントと前記少なくとも１つの他のネットワークアクセスポイントは、全く同じ又は全く異なる物理リソース構成情報を使用して、前記移動局が前記ハンドオーバリソースを使用して送信した前記アップリンクデータを受信する。ここで、前記少なくとも１つの他のネットワークアクセスポイントは、前記第２ネットワークアクセスポイントを含む。
【００１８】
第１形態の第６又は第７実現可能な方式を結合し、第１形態の第８実現可能な方式において、前記移動局が前記ハンドオーバリソースを使用して送信したアップリンクデータを受信することは、前記移動局により送信された複数の同じアップリンクデータパケットを受信し、その中の１つのアップリンクデータパケットをアップリンク受信データパケットとして確定し、該アップリンク受信データパケット内の前記アップリンクデータを取得することを含む。
【００１９】
第１形態又は第１形態の以上のいずれの実現可能な方式を結合し、第１形態の第９実現可能な方式において、前記方法は、さらに、前記第１ネットワークアクセスポイントは前記移動局にダウンリンクデータを送信することを含む。
【００２０】
第１形態の第９実現可能な方式を結合し、第１形態の第１０実現可能な方式において、前記移動局にダウンリンクデータを送信することは、前記第１ネットワークアクセスポイントは、少なくとも１つの他のネットワークアクセスポイントと協調し、前記移動局に前記ダウンリンクデータを送信することを含む。
【００２１】
選択的なものとして、前記第１ネットワークアクセスポイントと前記少なくとも１つの他のネットワークアクセスポイントは、全く同じ又は全く異なる物理リソース構成情報を使用して、前記移動局に前記ダウンリンクデータを送信する。ここで、前記少なくとも１つの他のネットワークアクセスポイントは、前記第２ネットワークアクセスポイントを含む。
【００２２】
第１形態の第９又は第１０実現可能な方式を結合し、第１形態の第１１実現可能な方式において、前記移動局にダウンリンクデータを送信することは、前記移動局に複数の同じダウンリンクデータパケットを送信して、前記移動局がその中の１つのダウンリンクデータパケットをダウンリンク受信データパケットとして確定し、該ダウンリンク受信データパケット内の前記ダウンリンクデータを取得することを含む。
【００２３】
第１形態又は第１形態の以上のいずれの実現可能な方式を結合し、第１形態の第１２実現可能な方式において、前記方法は、さらに、前記第１ネットワークアクセスポイントは前記移動局に第２指示情報を送信することを含み、ここで、前記第２指示情報は、前記第１ネットワークアクセスポイントと前記第２ネットワークアクセスポイントとの間の同期情報、前記移動局の速度情報、前記移動局の運動軌跡情報のうちの少なくとも１つを含む。
【００２４】
第２形態は、ハンドオーバのためのリソース構成方法を提供し、前記方法は、
移動局は、第１ネットワークアクセスポイントにより送信されたハンドオーバリソースプール構成情報を取得することと、
前記移動局は、前記第１ネットワークアクセスポイントにより送信された第１指示情報を受信することと、
前記移動局は、前記第１指示情報に従って、前記ハンドオーバリソースを使用して前記第１ネットワークアクセスポイント、前記第２ネットワークアクセスポイント、他の移動局のうちの少なくとも１つと通信することとを含み、
前記第１指示情報は、前記移動局が前記ハンドオーバリソースプール内のハンドオーバリソースを使用することを指示するために用いられる。
【００２５】
第２形態を結合し、第２形態の第１実現可能な方式において、前記移動局は、第１ネットワークアクセスポイントにより送信されたハンドオーバリソースプール構成情報を取得することは、前記移動局は、前記第１ネットワークアクセスポイントのネットワークにアクセスする時に、前記第１ネットワークアクセスポイントにより送信された前記ハンドオーバリソースプール構成情報を受信すること、又は、前記移動局は、前記第１ネットワークアクセスポイント的ネットワークにアクセスした後に、前記第１ネットワークアクセスポイントにより送信された前記ハンドオーバリソースプール構成情報を受信すること、又は、前記移動局は、間もなく前記第１ネットワークアクセスポイントから前記第２ネットワークアクセスポイントにハンドオーバする時に、前記第１ネットワークアクセスポイントにより送信された前記ハンドオーバリソースプール構成情報を受信することを含む。
【００２６】
第２形態又は第２形態の第１実現可能な方式を結合し、第２形態の第２実現可能な方式において、前記第１ネットワークアクセスポイント、前記第２ネットワークアクセスポイント、他の移動局のうちの少なくとも１つと通信することは、前記移動局が前記ハンドオーバリソースを使用してアップリンクデータを送信して、前記第１ネットワークアクセスポイント及び/又は前記第２ネットワークアクセスポイントが前記アップリンクデータを受信することを含む。
【００２７】
第２形態又は第２形態の以上のいずれの実現可能な方式を結合し、第２形態の第３実現可能な方式において、前記移動局は前記ハンドオーバリソースを使用してアップリンクデータを送信することは、前記アップリンクデータが前記第１ネットワークアクセスポイント及び前記第２ネットワークアクセスポイントに同時に到達するように、前記移動局は前記ハンドオーバリソースを使用し、所定のＣＰ値で前記アップリンクデータを送信することを含み、ここで、前記所定のＣＰ値は固定の閾値より大きい。
【００２８】
第２形態又は第２形態の以上のいずれの実現可能な方式を結合し、第２形態の第４実現可能な方式において、前記第１ネットワークアクセスポイント、前記第２ネットワークアクセスポイント、他の移動局のうちの少なくとも１つと通信することは、前記移動局は、前記ハンドオーバリソースを使用して前記第１ネットワークアクセスポイント及び／又は前記第２ネットワークアクセスポイントにより送信されたダウンリンクデータを受信することを含む。
【００２９】
第２形態又は第２形態の以上のいずれの実現可能な方式を結合し、第２形態の第５実現可能な方式において、前記移動局は、前記ハンドオーバリソースを使用して前記第１ネットワークアクセスポイント及び／又は前記第２ネットワークアクセスポイントにより送信されたダウンリンクデータを受信することは、前記移動局は、前記第１ネットワークアクセスポイント及び／又は前記第２ネットワークアクセスポイントにより送信された複数の同じダウンリンクデータパケットを受信することと、前記複数の同じダウンリンクデータパケットのうちの１つをダウンリンク受信データパケットとして確定することと、前記ダウンリンク受信データパケット内の前記ダウンリンクデータを取得することとを含む。
【００３０】
第２形態又は第２形態の以上のいずれの実現可能な方式を結合し、第２形態の第６実現可能な方式において、前記第１ネットワークアクセスポイント、前記第２ネットワークアクセスポイント、他の移動局のうちの少なくとも１つと通信することは、前記移動局は、前記ハンドオーバリソースを使用して前記他の移動局により送信された第１データを受信すること、及び／又は、前記移動局は、前記ハンドオーバリソースを使用して前記他の移動局に第２データを送信することを含む。
【００３１】
第２形態又は第２形態の以上のいずれの実現可能な方式を結合し、第２形態の第７実現可能な方式において、前記方法は、さらに、前記移動局は前記第１ネットワークアクセスポイントにより送信された第２指示情報を受信することと、前記移動局は、前記第２指示情報に従って、前記第２ネットワークアクセスポイントのアップリンク同期情報を取得することとを含み、前記第２指示情報は、前記第１ネットワークアクセスポイントと前記第２ネットワークアクセスポイントとの間の同期情報、前記移動局の速度情報、前記移動局の運動軌跡情報のうちの少なくとも１つを含む。
【００３２】
第３形態は、ネットワークアクセスポイントを提供し、前記ネットワークアクセスポイントは第１ネットワークアクセスポイントであり、第２ネットワークアクセスポイントとの間のハンドオーバリソースプール構成情報を確定するように構成される確定ユニットと、前記確定ユニットにより確定された前記ハンドオーバリソースプール構成情報を移動局に送信するように構成される送信ユニットとを含み、前記送信ユニットは、さらに、前記移動局に第１指示情報を送信するように構成され、前記第１指示情報は、前記移動局が前記ハンドオーバリソースプール内のハンドオーバリソースを使用して通信を行うことを指示するために用いられる。該ネットワークアクセスポイントは、上記第１形態及びその実現方式の方法の第１ネットワークアクセスポイントにより実行される各プロセスを実行するよう構成される。
【００３３】
第４形態は、ネットワークアクセスポイントを提供し、送信機、受信機、プロセッサ及び記憶装置を含む。該ネットワークアクセスポイントは、上記第１形態及びその実現方式の方法の第１ネットワークアクセスポイントにより実行される各プロセスを実行するよう構成される。
【００３４】
第５形態は、コンピュータ可読な記憶媒体を提供し、前記コンピュータ可読な記憶媒体にプログラムが記憶され、前記プログラムによって、ネットワークアクセスポイントは、上記第１形態及びその実現方式のいずれのハンドオーバのためのリソース構成方法を実行する。
【００３５】
第６形態は、移動局を提供し、第１ネットワークアクセスポイントにより送信されたハンドオーバリソースプール構成情報を取得するように構成される取得ユニットと、前記第１ネットワークアクセスポイントにより送信された第１指示情報を受信するように構成される受信ユニットと、前記受信ユニットにより受信された前記第１指示情報に従って、前記ハンドオーバリソースを使用して、前記第１ネットワークアクセスポイント、前記第２ネットワークアクセスポイント、他の移動局のうちの少なくとも１つと通信するように構成される通信ユニットとを含み、前記第１指示情報は、前記移動局が前記取得ユニットにより取得された前記ハンドオーバリソースプール内のハンドオーバリソースを使用することを指示するために用いられる。該移動局は、上記第２形態及びその実現方式の方法の移動局により実行される各プロセスを実行するよう構成される。
【００３６】
第７形態は、移動局を提供し、送信機、受信機、プロセッサ及び記憶装置を含む。該移動局は、上記第２形態及びその実現方式の方法の移動局により実行される各プロセスを実行するよう構成される。
【００３７】
第８形態は、コンピュータ可読な記憶媒体を提供し、前記コンピュータ可読な記憶媒体にプログラムが記憶され、前記プログラムによって、移動局は、上記第２形態及びその実現方式のいずれのハンドオーバのためのリソース構成方法を実行するよう構成される。
【００３８】
選択的なものとして、前記ハンドオーバリソースプール内のハンドオーバリソースの構成情報は、物理時間周波数リソースブロックの位置情報、変調符号化方式情報、基準信号の構成情報、アンテナ構成情報のうちの少なくとも１つを含む。
【００３９】
選択的なものとして、前記第１指示情報は、物理層制御シグナリングのリザーブ情報ビットによって示され、又は、前記第１指示情報は、割り当てた新しい無線ネットワーク一時識別子（ＲＮＴＩ）によって示され、又は、前記第１指示情報は、新しい物理層制御シグナリングフォーマットによって示される。
【００４０】
選択的なものとして、制御シグナリング又は物理層制御シグナリングは、ＰＤＣＣＨであっても良い。
【００４１】
選択的なものとして、前記第１ネットワークアクセスポイントは前記第２ネットワークアクセスポイントに同期し、又は、前記第１ネットワークアクセスポイントと前記第２ネットワークアクセスポイントとの間に固定の第１タイミングオフセット値を有する。
【００４２】
選択的なものとして、前記第１ネットワークアクセスポイントは前記移動局に同期し、又は、前記第１ネットワークアクセスポイントと前記移動局との間に固定の第２タイミングオフセット値を有する。
【図面の簡単な説明】
【００４３】
【図１】本発明の１つの実施例における移動局のハンドオーバ過程の概略図である。
【図２】本発明の１つの実施例におけるハンドオーバのためのリソース構成方法のフローチャートである。
【図３】本発明の他の１つの実施例におけるハンドオーバのためのリソース構成方法のフローチャートである。
【図４】本発明の他の１つの実施例におけるハンドオーバのためのリソース構成方法のフローチャートである。
【図５】本発明の１つの実施例におけるネットワークアクセスポイントの構成のブロック図である。
【図６】本発明の他の１つの実施例におけるネットワークアクセスポイントの構成のブロック図である。
【図７】本発明の１つの実施例における移動局の構成のブロック図である。
【図８】本発明の他の１つの実施例における移動局の構成のブロック図である。
【発明を実施するための形態】
【００４４】
本発明の実施例の技術的な解決策をより明確に説明するため、以下に実施例又は従来技術の記述において必要な図面を簡単に説明するが、明らかに、以下に記載する図面は本発明のいくつかの実施例だけであり、当業者であれば、創造的な労力を要することなく、これらの図面に基づいて他の図面を得ることができる。
【００４５】
以下に本発明の実施例の図面を組み合わせながら、本発明の実施例に係る技術的解決策を明確で、全面的に説明し、明らかに、説明した実施例は本発明の一部の実施例だけであり、全ての実施例ではない。本発明の実施例に基づき、当業者が創造的な労力を要せずに得た他の実施例は、全て本発明の保護範囲に属する。
【００４６】
本発明は移動局を結合し各実施例を説明する。移動局はユーザ装置（ＵＥ：Ｕｓｅｒ  Ｅｑｕｉｐｍｅｎｔ）、端末装置、アクセス端末、ユーザーユニット、加入者サイト、移動サイト、移動局、遠隔局、遠隔端末、移動装置、ユーザ端末、端末、無線通信装置、ユーザエージェント又はユーザデバイスであってもよい。移動局は、ワイヤレスローカルエリアネットワーク（ＷＬＡＮ：Ｗｉｒｅｌｅｓｓ  Ｌｏｃａｌ  Ａｒｅａ  Ｎｅｔｗｏｒｋｓ）中のステーション（ＳＴＡＴＩＯＮ）、セルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）サイト、パーソナルデジタル処理（ＰＤＡ：Ｐｅｒｓｏｎａ１  Ｄｉｇｉｔａ１  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス、将来の５Ｇネットワークにおける移動局、又は未来進化型の公衆移動通信網（ＰＬＭＮ：Ｐｕｂｌｉｃ  Ｌａｎｄ  Ｍｏｂｉｌｅ  Ｎｅｔｗｏｒｋ）における移動局などであってもよい。例えば、本発明の実施例における移動局は、車輌に搭載されたオンボードユニット（ＯＢＵ：Ｏｎ  ｂｏａｒｄ  Ｕｎｉｔ）である。
【００４７】
なお、本発明はネットワークデバイスと組み合わせて各実施例を説明する。ネットワークデバイスは、移動局と通信するためのデバイスであってもよく、ワイヤレスローカルエリアネットワーク（ＷＬＡＮ：Ｗｉｒｅｌｅｓｓ  Ｌｏｃａｌ  Ａｒｅａ  Ｎｅｔｗｏｒｋｓ）内のアクセスポイント（ＡＰ：ＡＣＣＥＳＳ  ＰＯＩＮＴ）、ＧＳＭシステム又はＣＤＭＡ（ＣＤＭＡ：Ｃｏｄｅ  Ｄｉｖｉｓｉｏｎ  Ｍｕｌｔｉｐｌｅ  Ａｃｃｅｓｓ）における基地局（ＢＴＳ：Ｂａｓｅ  Ｔｒａｎｓｃｅｉｖｅｒ  Ｓｔａｔｉｏｎ）、ＷＣＤＭＡシステムにおけるノードＢ（ＮＢ：ＮｏｄｅＢ）、ＬＴＥシステムにおける進化型基地局（ｅＮＢ又はｅＮｏｄｅＢ：Ｅｖｏｌｕｔｉｏｎａｌ  ＮｏｄｅＢ）、リピータ、アクセスポイント、車載デバイス、ウェアラブルデバイス及び将来の５Ｇネットワークにおけるネットワーク側デバイス、又は未来進化型の公衆移動通信網（ＰＬＭＮ：Ｐｕｂｌｉｃ  Ｌａｎｄ  Ｍｏｂｉｌｅ  Ｎｅｔｗｏｒｋ）におけるネットワークデバイスなどであってもよい。
【００４８】
なお、本発明の各形態又は特徴は、方法、装置、又は標準プログラミング及び／又は工程技術を使用する製品として実現されることができる。本願に使用する「製品」は、任意のコンピューター読み可能部品、担体又は媒体からアクセスすることが可能なコンピュータープログラムを含む。例えば、コンピュータ可読媒体は、磁気メモリ（例えば、ハードディスク、フレキシブルディスク又はテープ等）、ディスク（例えば、ＣＤ（Ｃｏｍｐａｃｔ  Ｄｉｓｋ、コンパクトディスク）、ＤＶＤ（Ｄｉｇｉｔａｌ  Ｖｅｒｓａｔｉｌｅ  Ｄｉｓｋ、デジタル多用途ディスク）等）、スマートカードとフラッシュメモリデバイス（例えば、ＥＰＲＯＭ（Ｅｒａｓａｂｌｅ  Ｐｒｏｇｒａｍｍａｂｌｅ  Ｒｅａｄ−Ｏｎｌｙ  Ｍｅｍｏｒｙ、プログラム可能読取り専用記憶装置）、カード、スティック又はキードライバ等）を含むが、これらに限定されない。また、ここで記載される各種の記憶媒体は、情報を記憶するための１つの又は複数のデバイス及び／又は他の機械可読媒体であってもよい。「機械可読媒体」は、無線チャネル、及び／又は命令及び／又はデータを記憶、含み及び／又はベアラする可能な各種の他の媒体を含むが、これらに限定されない。
【００４９】
図１は本発明の１つの実施例における移動局のハンドオーバ過程の概略図である。図１に示すように、第１ネットワークアクセスポイント１００、第２ネットワークアクセスポイント２００、移動局３００及び移動局４００を含む。
【００５０】
ここで、第１ネットワークアクセスポイント１００は、第２ネットワークアクセスポイント２００とセルラリンクを介して通信を行うことができ、例えば、第１ネットワークアクセスポイント１００と第２ネットワークアクセスポイント２００との間の通信インターフェースを介して通信を行い、ここの通信インターフェースは、Ｘ２インターフェースであっても良い。
【００５１】
移動局３００は高速移動状態にある可能性があり、例えば、移動局３００は、最初、第１ネットワークアクセスポイント１００のネットワークのカバレージ範囲内に位置し、第１ネットワークアクセスポイント１００と通信を直接に行うことができる。その後に、移動局３００の高速移動により、第２ネットワークアクセスポイント２００のネットワークのカバレージ範囲にだんだん進入する。ここで、第１ネットワークアクセスポイント１００は、ソース基地局で、第２ネットワークアクセスポイント２００はターゲット基地局であっても良い。該過程において、移動局３００が対応する伝送リソースを切り替える必要があり、この場合、大きい伝送遅延を引き起こす可能性がある。それによって、移動局３００は第２ネットワークアクセスポイント２００（即ち、ターゲット基地局）からのリソース構成を受信することができなくなり、隣接の移動局（図１の移動局４００）のデータを正常に送受信することができないことを引き起こす。
【００５２】
本発明の実施例は、移動局の移動が予測可能な特性を有するという特徴を利用して、ネットワークアクセスポイントの間でハンドオーバリソースを予め協調し、それによって、移動局はハンドオーバ過程において、該ハンドオーバリソースを使用し、そのため、ハンドオーバ中断時間が減少し、移動局のハンドオーバ中の通信を確保することができ、ここで、移動局と基地局との間の通信及び移動局と他の移動局との通信を含む。
【００５３】
図２は本発明の１つの実施例におけるハンドオーバのためのリソース構成方法のフローチャートである。図２に示す方法は、第１ネットワークアクセスポイントによって実行され、当該方法は、Ｓ１１０〜Ｓ１３０を含む。
【００５４】
Ｓ１１０において、第１ネットワークアクセスポイントは、第２ネットワークアクセスポイントとの間のハンドオーバリソースプール構成情報を確定する。
【００５５】
ここで、ハンドオーバリソースプール内のハンドオーバリソースの構成情報は、物理時間周波数リソースブロックの位置情報、変調符号化構成情報、基準信号の構成情報、アンテナ構成情報のうちの少なくとも１つを含む。
【００５６】
ハンドオーバリソースの構成情報は、時間周波数リソース構成情報、伝送帯域等を含んでも良く、ここで一つずつを挙げない。
【００５７】
理解すべきものとして、第１ネットワークアクセスポイントの周囲に少なくとも１つの他のネットワークアクセスポイントが配置され、第１ネットワークアクセスポイントは、少なくとも１つの他のネットワークアクセスポイントと通信インターフェース（例えば、Ｘ２インターフェース）を介して直接に通信を行っても良い。
【００５８】
第１状況として、第１ネットワークアクセスポイントの周囲に１つのみのその他のネットワークアクセスポイント、即ち、第２ネットワークアクセスポイントが存在する。その場合、Ｓ１１０において、第１ネットワークアクセスポイントは、第２ネットワークアクセスポイントとの間のハンドオーバリソースプール構成情報のみを確定すればよい。
【００５９】
選択的なものとして、第１ネットワークアクセスポイントは、通信インターフェースを介して、前記第２ネットワークアクセスポイントと協調して、前記ハンドオーバリソースプール構成情報を確定する。
【００６０】
ここで、第１ネットワークアクセスポイントは第２ネットワークアクセスポイントに同期し、又は、第１ネットワークアクセスポイントと第２ネットワークアクセスポイントとの間に固定の第１タイミングオフセット（ｏｆｆｓｅｔ）値を有する。
【００６１】
第１ネットワークアクセスポイントは、第２ネットワークアクセスポイントとリソース協調を行い、協調された方式によってハンドオーバリソースプールを確定しても良い。例えば、第１ハンドオーバリソースプールと第２ハンドオーバリソースプールを確定する。ここで、第１ハンドオーバリソースプールは、第１ネットワークアクセスポイントによって移動局に送信され、それによって、移動局が第１ネットワークアクセスポイントから第２ネットワークアクセスポイントにハンドオーバする過程において、第１ハンドオーバリソースプール内のハンドオーバリソースを使用する。ここで、第２ハンドオーバリソースプールは、第２ネットワークアクセスポイントによって移動局に送信され、それによって、移動局が第２ネットワークアクセスポイントから第１ネットワークアクセスポイントにハンドオーバする過程において、第２ハンドオーバリソースプール内のハンドオーバリソースを使用する。
【００６２】
このように、第１ネットワークアクセスポイントから第２ネットワークアクセスポイントにハンドオーバする移動局の使用するハンドオーバリソースと、第２ネットワークアクセスポイントから第１ネットワークアクセスポイントにハンドオーバする移動局の使用するハンドオーバリソースをできるだけ相違させて、ハンドオーバ過程中で異なる移動局の間のリソース競合を回避し、リソース競争を減少させることができ、さらに、ハンドオーバ過程中の移動局のデータ伝送の効率を確保することができる。
【００６３】
第２状況として、第１ネットワークアクセスポイントの周囲に複数（少なくとも２つ）の他のネットワークアクセスポイント（第２ネットワークアクセスポイントを含む）が存在する。その場合、Ｓ１１０において、第１ネットワークアクセスポイントは、複数のネットワークアクセスポイントとの間のハンドオーバリソースプール構成情報を確定することができる。ここで、複数のネットワークアクセスポイントは、第２ネットワークアクセスポイントを含む。
【００６４】
選択的なものとして、第１ネットワークアクセスポイントは、それらの間の通信インターフェースを介して、複数のネットワークアクセスポイントと協調して、対応するハンドオーバリソースプール構成情報を確定しても良い。
【００６５】
１つの実施例として、第１ネットワークアクセスポイントは、複数のネットワークアクセスポイントの共通のハンドオーバリソースプール構成情報を確定しても良い。この時、第１ネットワークアクセスポイントは、１セットのハンドオーバリソースプール構成情報を確定する。
【００６６】
他の１つの実施例として、第１ネットワークアクセスポイントは、各ネットワークアクセスポイントとの間のハンドオーバリソースプール構成情報をそれぞれ確定しても良い。この時、第１ネットワークアクセスポイントは、複数のネットワークアクセスポイントとの一対一に対応する複数のセットのハンドオーバリソースプール構成情報を確定する。
【００６７】
理解すべきものとして、本発明の実施例において、ハンドオーバリソースプールは、１種以上の異なるハンドオーバリソースを含むことができる。
【００６８】
Ｓ１２０において、第１ネットワークアクセスポイントは、前記ハンドオーバリソースプール構成情報を移動局に送信する。
【００６９】
本発明の実施例において、第１ネットワークアクセスポイントは、システム情報ブロードキャストによって、ハンドオーバリソースプール構成情報を移動局に送信しても良い。又は、第１ネットワークアクセスポイントは、制御シグナリングによって、ハンドオーバリソースプール構成情報を移動局に送信しても良い。
【００７０】
ここで、制御シグナリングは、物理層制御シグナリング、例えば物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）であっても良い。
【００７１】
ここで、第１ネットワークアクセスポイントは移動局に同期し、又は、第１ネットワークアクセスポイントと移動局との間に固定の第２タイミングオフセット値を有する。
【００７２】
選択的なものとして、１つの実施例として、移動局が第１ネットワークアクセスポイントのネットワークにアクセスする時に、ハンドオーバリソースプール構成情報を移動局に送信しても良い。例えば、移動局が第１ネットワークアクセスポイントにランダムアクセスを行う過程において、ハンドオーバリソースプール構成情報を移動局に送信しても良い。
【００７３】
選択的なものとして、他の１つの実施例として、移動局が第１ネットワークアクセスポイントのネットワークにアクセスした後に、ハンドオーバリソースプール構成情報を移動局に送信しても良い。例えば、移動局が第１ネットワークアクセスポイントにランダムアクセスを行った後に、ハンドオーバリソースプール構成情報を移動局に送信しても良い。
【００７４】
選択的なものとして、他の１つの実施例として、移動局が間もなく第１ネットワークアクセスポイントから第２ネットワークアクセスポイントにハンドオーバする時に、ハンドオーバリソースプール構成情報を移動局に送信しても良い。
【００７５】
それに応じて、理解すべきものとして、Ｓ１２０の前に、第１ネットワークアクセスポイントは、移動局が間もなくハンドオーバ行うかどうかを判断し、例えば、移動局が間もなく第１ネットワークアクセスポイントから第２ネットワークアクセスポイントにハンドオーバするかどうかを判断する。
【００７６】
例えば、移動局によりフィードバックされた測定信号の強度に基づいて、移動局が間もなくハンドオーバを行うかどうかを判断してもよい。又は、移動局の移動軌跡に基づいて、移動局が間もなくハンドオーバを行うかどうかを判断しても良い。又は、移動局の移動軌跡及び移動速度に基づいて、移動局が間もなくハンドオーバを行うかどうかを判断しても良い。
【００７７】
注意すべきものとして、Ｓ１１０において複数のネットワークアクセスポイントとの一対一に対応する複数セットのハンドオーバリソースプール構成情報を確定した場合、Ｓ１２０において、第１ネットワークアクセスポイントから移動局へ送信されたハンドオーバリソースプール構成情報には、さらに、対応するネットワークアクセスポイントの識別情報も含まれるべきである。
【００７８】
選択的なものとして、第１ネットワークアクセスポイントは、移動局に第２指示情報を送信してもよく、該第２指示情報は、第１ネットワークアクセスポイントと第２ネットワークアクセスポイントとの同期情報、前記移動局の速度情報、前記移動局の運動軌跡情報の少なくとも１つを含む。ここの同期情報は、アップリンク同期情報及びダウンリンク同期情報を含む。このように、移動局は、アップリンク同期情報、ダウンリンク同期情報、速度情報、運動軌跡情報等を取得した後、さらに、第２ネットワークアクセスポイントのアップリンク同期情報を確定しても良い。
【００７９】
ここで、第１ネットワークアクセスポイントと第２ネットワークアクセスポイントとの同期情報は、第１タイミングオフセット値を含むことができる。このように、移動局は、該同期情報における第１タイミングオフセット値及び移動局と第１ネットワークアクセスポイントとの同期関係に基づいて、第２ネットワークアクセスポイントの同期情報を取得しても良い。
【００８０】
Ｓ１３０において、第１ネットワークアクセスポイントは、前記移動局に第１指示情報を送信し、前記第１指示情報は、前記移動局が前記ハンドオーバリソースを使用して通信を行うことを指示するために用いられる。
【００８１】
具体的に、第１指示情報は、該移動局が前記ハンドオーバリソースを使用して、第１ネットワークアクセスポイント、第２ネットワークアクセスポイント、他の移動局のうちの少なくとも１つと通信を行うように指示するために用いられる。
【００８２】
それによって、移動局は、該第１指示情報を受信した後、第１ネットワークアクセスポイントから第２ネットワークアクセスポイントにハンドオーバする過程において、ハンドオーバリソースプール構成情報に基づいて、該ハンドオーバリソースプール内のハンドオーバリソースを使用して、第１ネットワークアクセスポイント、第２ネットワークアクセスポイント、及び他の移動局のうちの少なくとも１つと通信を行うことができる。
【００８３】
選択的なものとして、第１指示情報は、物理層制御シグナリングのリザーブ情報ビットによって示され、又は、第１指示情報は、割り当てた新しい無線ネットワーク一時識別子（ＲＮＴＩ：Ｒａｄｉｏ  Ｎｅｔｗｏｒｋ  Ｔｅｍｐｏｒａｒｙ  Ｉｄｅｎｔｉｆｉｅｒ）によって示され、又は、第１指示情報は、新しい物理層制御シグナリングフォーマットで示される。
【００８４】
注意すべきものとして、本発明の実施例において、物理層制御シグナリングのリザーブ情報ビットは、現行プロトコルにより定義された物理層制御シグナリングのフォーマットの中の、使用されていない、具体的に定義もされない、リザーブ（ｒｅｓｅｒｖｅｄ）のフィールド又はリザーブビットである。
【００８５】
注意すべきものとして、本発明の実施例において、新しい物理層制御シグナリングフォーマットは、現行プロトコルにより定義された物理層制御シグナリングフォーマットと異なり、又は、未来プロトコルに再度に定義された物理層制御シグナリングフォーマットであると理解しても良い。
【００８６】
注意すべきものとして、本発明の実施例において、割り当てた新しいＲＮＴＩは、従来のＲＮＴＩの以外に、改めて割り当てたものであり、該新しいＲＮＴＩは、専ら第１指示情報を示すために用いられる。
【００８７】
このように、移動局は、第１指示情報を受信した後、Ｓ１２０において受信されたハンドオーバリソースプール構成情報に従って、ハンドオーバリソースプール内のハンドオーバリソースを使用して、第１ネットワークアクセスポイント、第２ネットワークアクセスポイント、及び他の移動局のうちの少なくとも１つと通信を行うことができる。
【００８８】
選択的なものとして、移動局が間もなく第１ネットワークアクセスポイントから第２ネットワークアクセスポイントにハンドオーバすることを確定した場合、第１指示情報を移動局に送信することができる。
【００８９】
それに応じて、理解すべきものとして、Ｓ１３０の前に、第１ネットワークアクセスポイントは、移動局が間もなくハンドオーバを行うかどうかを判断し、例えば、移動局が間もなく第１ネットワークアクセスポイントから第２ネットワークアクセスポイントにハンドオーバするかどうかを判断する。
【００９０】
例えば、移動局によりフィードバックされた測定信号の強度に基づいて、移動局が間もなくハンドオーバを行うかどうかを判断しても良い。又は、移動局の移動軌跡に基づいて、移動局が間もなくハンドオーバを行うかどうかを判断しても良い。又は、移動局の移動軌跡と移動速度に基づいて、移動局が間もなくハンドオーバを行うかどうかを判断しても良い。
【００９１】
注意すべきものとして、Ｓ１１０において複数のネットワークアクセスポイントとの一対一に対応する複数セットのハンドオーバリソースプール構成情報を確定し、Ｓ１２０において複数セットのハンドオーバリソースプール構成情報及び対応するネットワークアクセスポイントの識別情報を移動局に送信する場合、Ｓ１３０において、第１指示情報は、ネットワークアクセスポイントの識別情報を含むことができる。
【００９２】
例えば、第１指示情報は第２ネットワークアクセスポイントの識別情報を含む場合、Ｓ１３０において移動局は第１指示情報を受信した後に、第１指示情報に含まれる第２ネットワークアクセスポイントの識別情報に基づいて、該識別情報に対応するハンドオーバリソースプール構成情報を確定し、該ハンドオーバリソースプール内のハンドオーバリソースを使用して以降の通信を行っても良い。
【００９３】
選択的なものとして、Ｓ１３０の後に、第１ネットワークアクセスポイントは、移動局が該ハンドオーバリソースを使用して送信されたアップリンクデータを受信する。
【００９４】
例えば、移動局はハンドオーバリソースを使用して複数の同じアップリンクデータパケットを送信する場合、第１ネットワークアクセスポイントは、該複数の同じアップリンクデータパケットを受信し、その中の１つのアップリンクデータパケットをアップリンク受信データパケットとして確定し、該アップリンク受信データパケットにおける前記アップリンクデータを取得しても良い。
【００９５】
ここで、第１ネットワークアクセスポイントは、少なくとも１つの他のネットワークアクセスポイントと協調して、移動局が該ハンドオーバリソースを使用して送信されたアップリンクデータを受信しても良い。ここの少なくとも１つの他のネットワークアクセスポイントは、第２ネットワークアクセスポイントを含むことができる。つまり、第１ネットワークアクセスポイントは、第２ネットワークアクセスポイントと協調し、移動局が該ハンドオーバリソースを使用して送信されたアップリンクデータを受信しても良い。
【００９６】
注意すべきものとして、第１ネットワークアクセスポイントが他のネットワークアクセスポイントと協調して受信する時に、各ネットワークアクセスポイントがデータパケットを受信する時に使用する物理リソースの位置及び構成が全く同じであり、又は、各ネットワークアクセスポイントがデータパケットを受信する時に使用する物理リソースの位置及び構成が全くずれている。さらに、その後に、受信されたデータパケットからその中の１つのデータパケットを受信データパケットとして選択する。
【００９７】
該協調及び受信過程において、第１ネットワークアクセスポイントと少なくとも１つの他のネットワークアクセスポイントとは、全く同じの物理リソース構成情報を使用してもよいし、第１ネットワークアクセスポイントと少なくとも１つの他のネットワークアクセスポイントは、全く異なる物理リソース構成情報を使用しても良い。ここの少なくとも１つの他のネットワークアクセスポイントは、第２ネットワークアクセスポイントを含むことができる。つまり、第１ネットワークアクセスポイントと第２ネットワークアクセスポイントは、全く同じ又は全く異なる物理リソース構成情報を使用しても良い。
【００９８】
選択的なものとして、Ｓ１３０の後、第１ネットワークアクセスポイントは、移動局にダウンリンクデータを送信しても良い。
【００９９】
例えば、第１ネットワークアクセスポイントは移動局に複数の同じダウンリンクデータパケットを送信して、移動局がその中の１つのダウンリンクデータパケットをダウンリンク受信データパケットとして確定し、該ダウンリンク受信データパケットにおける前記ダウンリンクデータを取得することができる。
【０１００】
具体的に、移動局が第１ネットワークアクセスポイントから第２ネットワークアクセスポイントにハンドオーバする過程において、第１ネットワークアクセスポイントは、該移動局にダウンリンクデータを送信することができる。それに応じて、移動局は、ハンドオーバリソースを使用して該ダウンリンクデータを受信することができる。
【０１０１】
ここで、第１ネットワークアクセスポイントは、少なくとも１つの他のネットワークアクセスポイントと協調し、移動局に前記ダウンリンクデータを送信しても良い。ここの少なくとも１つの他のネットワークアクセスポイントは、第２ネットワークアクセスポイントを含むことができる。つまり、第１ネットワークアクセスポイントは、第２ネットワークアクセスポイントと協調し、移動局にダウンリンクデータを送信しても良い。
【０１０２】
注意すべきものとして、第１ネットワークアクセスポイントは、他のネットワークアクセスポイントと協調して送信する時に、各ネットワークアクセスポイントにより送信されたデータパケットが同じであり、しかも使用する物理リソースの位置及び構成も同じである。
【０１０３】
該協調して送信する過程において、第１ネットワークアクセスポイントと少なくとも１つの他のネットワークアクセスポイントは、全く同じ物理リソース構成情報を使用してもよいし、第１ネットワークアクセスポイントと少なくとも１つの他のネットワークアクセスポイントは、全く異なる物理リソース構成情報を使用しても良い。ここの少なくとも１つの他のネットワークアクセスポイントは、第２ネットワークアクセスポイントを含むことができる。つまり、第１ネットワークアクセスポイントと第２ネットワークアクセスポイントは、全く同じ又は全く異なる物理リソース構成情報を使用しても良い。
【０１０４】
図３は本発明の他の１つの実施例におけるハンドオーバのためのリソース構成方法のフローチャートである。図３に示す方法は、移動局によって実行され、前記方法は、Ｓ２１０〜Ｓ２３０を含む。
【０１０５】
Ｓ２１０において、移動局は、第１ネットワークアクセスポイントにより送信されたハンドオーバリソースプール構成情報を取得する。
【０１０６】
ここで、ハンドオーバリソースプール内のハンドオーバリソースの構成情報は、物理時間周波数リソースブロックの位置情報、変調符号化構成情報、基準信号の構成情報、アンテナ構成情報のうちの少なくとも１つを含む。
【０１０７】
選択的なものとして、ハンドオーバリソースプール構成情報は、第１ネットワークアクセスポイントがシステム情報ブロードキャストによって送信したものであっても良い。又は、ハンドオーバリソースプール構成情報は、第１ネットワークアクセスポイントが制御シグナリングによって送信したものでも良い。ここで、制御シグナリングは、物理ダウンリンク物理シグナリング、例えば、ＰＤＣＣＨであっても良い。
【０１０８】
ここで、第１ネットワークアクセスポイントは移動局に同期し、又は、第１ネットワークアクセスポイントと移動局との間に固定の第２タイミングオフセット値を有する。
【０１０９】
選択的なものとして、１つの実施例として、移動局は、第１ネットワークアクセスポイントのネットワークにアクセスする時に、第１ネットワークアクセスポイントにより送信されたハンドオーバリソースプール構成情報を受信する。
【０１１０】
選択的なものとして、他の１つの実施例として、移動局は、第１ネットワークアクセスポイントのネットワークにアクセスした後に、第１ネットワークアクセスポイントにより送信されたハンドオーバリソースプール構成情報を受信する。
【０１１１】
選択的なものとして、他の１つの実施例として、移動局は、間もなく第１ネットワークアクセスポイントから第２ネットワークアクセスポイントにハンドオーバする時に、第１ネットワークアクセスポイントにより送信されたハンドオーバリソースプール構成情報を受信する。
【０１１２】
該ステップＳ２１０は、上記図２の実施例におけるステップＳ１２０を参照することができ、重複を避けるために、ここで省略する。
【０１１３】
Ｓ２２０において、移動局は、第１ネットワークアクセスポイントにより送信された第１指示情報を受信し、該第１指示情報は、移動局がハンドオーバリソースプール内のハンドオーバリソースの使い始めることを指示するために用いられる。
【０１１４】
選択的なものとして、第１指示情報は、物理層制御シグナリングのリザーブ情報ビットによって示され、又は、第１指示情報は割り当てた新しい無線ネットワーク一時識別子（ＲＮＴＩ：Ｒａｄｉｏ  Ｎｅｔｗｏｒｋ  Ｔｅｍｐｏｒａｒｙ  Ｉｄｅｎｔｉｆｉｅｒ）によって示され、又は、第１指示情報は、新しい物理層制御シグナリングフォーマットによって示される。
【０１１５】
選択的なものとして、該物理層制御シグナリングはＰＤＣＣＨであっても良い。
【０１１６】
具体的に、移動局は、間もなく第１ネットワークアクセスポイントから第２ネットワークアクセスポイントにハンドオーバする時に、第１ネットワークアクセスポイントにより送信された第１指示情報を受信する。
【０１１７】
選択的なものとして、第１指示情報は、さらに、ハンドオーバリソースに対応するネットワークアクセスポイントの識別情報を含む。
【０１１８】
該ステップＳ２２０は上記図２の実施例におけるステップＳ１３０を参照することができ、重複を避けるために、ここで省略する。
【０１１９】
選択的なものとして、移動局は、第１ネットワークアクセスポイントにより送信された第２指示情報を受信することをさらに含む。該第２指示情報は、第１ネットワークアクセスポイントと第２ネットワークアクセスポイントとの同期情報、前記移動局の速度情報、前記移動局の運動軌跡情報のうちの少なくとも１つを含む。さらに、移動局は、第２指示情報に従って、第２ネットワークアクセスポイントのアップリンク同期情報を取得することができる。
【０１２０】
Ｓ２３０において、移動局は、前記第１指示情報に従って、前記ハンドオーバリソースを使用して、第１ネットワークアクセスポイント、第２ネットワークアクセスポイント、及び他の移動局のうちの少なくとも１つと通信を行う。
【０１２１】
具体的に、移動局は、第１指示情報を受信した後に、ハンドオーバリソースプール内のハンドオーバリソースを使い始める。理解すべきものとして、第１指示情報がネットワークアクセスポイントの識別情報を含む場合、移動局は、該識別情報に対応するハンドオーバリソースプール内のハンドオーバリソースを使用する。
【０１２２】
例えば、ハンドオーバリソースプールには多種のハンドオーバリソースが含まれる場合、移動局は、ハンドオーバリソースプールからその中の１つを前記ハンドオーバリソースとして選択し、該ハンドオーバリソースを使用して通信を行うことができる。
【０１２３】
選択的なものとして、移動局は、該ハンドオーバリソースを使用してアップリンクデータを送信しても良い。
【０１２４】
例えば、移動局はハンドオーバリソースを使用して複数の同じアップリンクデータパケットを送信して、第１ネットワークアクセスポイント及び／又は第２ネットワークアクセスポイントは、該複数の同じアップリンクデータパケットを受信し、その中の１つのアップリンクデータパケットをアップリンク受信データパケットとして確定し、該アップリンク受信データパケットにおけるアップリンクデータを取得する。
【０１２５】
１つの例として、前記アップリンクデータが前記第１ネットワークアクセスポイント及び前記第２ネットワークアクセスポイントに同時に到達することできるように、移動局は該ハンドオーバリソースを使用して、所定のサイクリックプレフィックス（ＣＰ：Ｃｙｃｌｉｃ  Ｐｒｅｆｉｘ）値を採用しアップリンクデータを送信する。ここで、前記所定のＣＰ値は固定の閾値より大きい。
【０１２６】
このように、移動局は、大きい長さのＣＰを使用することで、アップリンクデータが第１ネットワークアクセスポイント及び第２ネットワークアクセスポイントに同時に到達することを確保する。
【０１２７】
選択的なものとして、移動局は該ハンドオーバリソースを使用してダウンリンクデータを受信しても良い。
【０１２８】
ここのダウンリンクデータは、第１ネットワークアクセスポイント又は第２ネットワークアクセスポイントにより送信されたものであっても良く、又は、ここのダウンリンクデータは、第１ネットワークアクセスポイントと第２ネットワークアクセスポイントと協調されて送信されたものであっても良い。
【０１２９】
例えば、移動局は、第１ネットワークアクセスポイント及び／又は第２ネットワークアクセスポイントにより送信された複数の同じダウンリンクデータパケットを受信し、複数の同じダウンリンクデータパケットのうちの１つをダウンリンク受信データパケットとして確定し、ダウンリンク受信データパケットにおける前記ダウンリンクデータを取得する。
【０１３０】
該ステップＳ２３０において移動局と第１ネットワークアクセスポイント及び／又は第２ネットワークアクセスポイントとの通信は、上記図２の実施例におけるステップＳ１３０後の通信に関する記載を参照することができ、重複を避けるために、ここで省略する。
【０１３１】
選択的なものとして、移動局は、該ハンドオーバリソースを使用して他の移動局により送信された第１データを受信しても良い。
【０１３２】
選択的なものとして、移動局は、該ハンドオーバリソースを使用して他の移動局に第２データを送信しても良い。
【０１３３】
注意すべきものとして、他の移動局は、該移動局の付近に位置する端末装置であってもよく、ここで、他の移動局の数を限定しない。例えば、移動局は、図１に示す移動局３００で、他の移動局は図１に示す移動局４００であっても良い。
【０１３４】
移動局と他の移動局との間の通信は、Ｖ２Ｖ通信であってもよいし、Ｖ２Ｐ通信であってもよいし、Ｖ２Ｉ通信等であっても良いが、本発明がこれに限定しない。
【０１３５】
図４は本発明の他の１つの実施例におけるハンドオーバのためのリソース構成のフローチャートである。図４は、第１ネットワークアクセスポイント１００、第２ネットワークアクセスポイント２００、移動局３００及び移動局４００を含む。図４に示す方法は、Ｓ３１０〜Ｓ３４０を含む。
【０１３６】
Ｓ３１０において、第１ネットワークアクセスポイント１００は、第２ネットワークアクセスポイント２００との間のハンドオーバリソースプール構成情報を確定する。
【０１３７】
選択的なものとして、第１ネットワークアクセスポイントは、通信インターフェースを介して、前記第２ネットワークアクセスポイントと協調し、前記ハンドオーバリソースプール構成情報を確定する。
【０１３８】
図４におけるステップＳ３１０は、上記図２の実施例におけるＳ１１０を参照し、重複を避けるために、ここで省略する。
【０１３９】
Ｓ３２０において、第１ネットワークアクセスポイント１００は、ハンドオーバリソースプール構成情報を移動局３００に送信する。
【０１４０】
選択的なものとして、システム情報ブロードキャスト又は制御シグナリングによって、ハンドオーバリソースプール構成情報を移動局３００に送信してもよい。
【０１４１】
図４におけるステップＳ３２０は、上記図２の実施例におけるＳ１２０又は図３の実施例におけるＳ２１０を参照し、重複を避けるために、ここで省略する。
【０１４２】
Ｓ３３０において、第１ネットワークアクセスポイント１００は移動局３００に第１指示情報を送信し、該第１指示情報は、移動局３００がハンドオーバリソースを使い始めることを指示する。
【０１４３】
選択的なものとして、移動局３００が第１ネットワークアクセスポイント１００のネットワークにアクセス時に、又は、移動局３００が第１ネットワークアクセスポイント１００のネットワークにアクセスした後、又は、移動局３００が間もなく第１ネットワークアクセスポイント１００から第２ネットワークアクセスポイント２００にハンドオーバする時に、第１指示情報を送信しても良い。
【０１４４】
図４におけるステップＳ３３０は、上記図２の実施例におけるＳ１３０又は図３の実施例におけるＳ２２０を参照することができ、重複を避けるために、ここで省略する。
【０１４５】
Ｓ３４０において、移動局３００は、第１指示情報に従って、該ハンドオーバリソースを使用して、第１ネットワークアクセスポイント１００、第２ネットワークアクセスポイント２００、移動局４００のうちの少なくとも１つとデータ伝送を行う。
【０１４６】
選択的なものとして、移動局３００は、該ハンドオーバリソースを使用してアップリンクデータを送信し、又は、第１ネットワークアクセスポイント１００及び／又は第２ネットワークアクセスポイント２００により送信されたダウンリンクデータを受信しても良い。
【０１４７】
選択的なものとして、移動局３００は、該ハンドオーバリソースを使用して移動局４００により送信された第１データを受信し、及び／又は、移動局３００は、該ハンドオーバリソースを使用して移動局４００に第２データを送信しても良い。
【０１４８】
図４におけるステップＳ３４０は、上記図３の実施例におけるＳ２３０を参照し、重複を避けるために、ここで省略する。
【０１４９】
さらに、理解すべきものとして、移動局３００の高速移動により、移動局３００が第２ネットワークアクセスポイント２００のネットワークのカバレージ範囲に移動して進入した後、第２ネットワークアクセスポイント２００とランダムアクセスプロセスを実行し、第２ネットワークアクセスポイント２００により割り当てた携帯電話のリンク伝送リソースを使用して通信を行う。さらに、該第２ネットワークアクセスポイント２００は、同様に、他のネットワークアクセスポイントとのハンドオーバリソースプール構成情報を確定し、確定されたハンドオーバリソースプール構成情報を移動局３００に送信しても良い。以降の処理は、図２に示す第１ネットワークアクセスポイントによって実行されたものと同様であり、ここで省略する。
【０１５０】
本発明の実施例における移動局は、Ｖ２Ｘにおける端末装置であってもよく、このように、Ｖ２Ｘ移動局の移動において予測可能な方向性を有するという特徴を利用し、ハンドオーバリソースという概念を導入して、ネットワークアクセスポイントの間でハンドオーバリソースを予め協調し、Ｖ２Ｘ移動局がハンドオーバを行う必要がある場合、該ハンドオーバリソースを使用してハンドオーバを行っても良い。このように、Ｖ２Ｘ移動局は、ハンドオーバする前に、ターゲットセル（即ち第２ネットワークアクセスポイント）を配置することができ、ハンドオーバの中断時間を減少させる。ハンドオーバ過程において、移動局とネットワークアクセスポイントとの通信及び移動局と他の移動局との通信を確保することができる。
【０１５１】
図５は本発明の１つの実施例におけるネットワークアクセスポイントの構成のブロック図である。図５に示すネットワークアクセスポイント１０が第１ネットワークアクセスポイントであり、確定ユニット１０１、送信ユニット１０２及び受信ユニット１０３を含む。
【０１５２】
確定ユニット１０１は、第２ネットワークアクセスポイントとの間のハンドオーバリソースプール構成情報を確定するように構成される。送信ユニット１０２は、確定ユニット１０１により確定された前記ハンドオーバリソースプール構成情報を移動局に送信するように構成される。送信ユニット１０２は、さらに、前記移動局に第１指示情報を送信するように構成され、前記第１指示情報は、前記移動局が前記ハンドオーバリソースプール内のハンドオーバリソースを使用して通信を行うことを指示するために用いられる。
【０１５３】
ここで、前記ハンドオーバリソースプール内のハンドオーバリソースの構成情報は、物理時間周波数リソースブロックの位置情報、変調符号化構成情報、基準信号の構成情報、アンテナ構成情報のうちの少なくとも１つを含む。
【０１５４】
選択的なものとして、第１指示情報は、物理層制御シグナリングのリザーブ情報ビットによって示されてもよいし、割り当てた新しいＲＮＴＩによって示されても良いし、新しい物理層制御シグナリングフォーマットによって示されても良い。
【０１５５】
ここで、前記第１ネットワークアクセスポイントは前記第２ネットワークアクセスポイントに同期し、又は、前記第１ネットワークアクセスポイントと前記第２ネットワークアクセスポイントとの間に固定の第１タイミングオフセット値を有する。
【０１５６】
ここで、前記第１ネットワークアクセスポイントは前記移動局に同期し、又は、前記第１ネットワークアクセスポイントと前記移動局との間に固定の第２タイミングオフセット値を有する。
【０１５７】
選択的なものとして、確定ユニット１０１は、具体的に、通信インターフェースを介して、前記第２ネットワークアクセスポイントと協調し、前記ハンドオーバリソースプール構成情報を確定するように構成される。ここで、通信インターフェースは、前記第１ネットワークアクセスポイントと前記第２ネットワークアクセスポイントとの間のＸ２インターフェースであっても良い。
【０１５８】
選択的なものとして、送信ユニット１０２は、具体的に、前記移動局が前記第１ネットワークアクセスポイントのネットワークにアクセスする時に、前記ハンドオーバリソースプール構成情報を前記移動局に送信し、又は、前記移動局が前記第１ネットワークアクセスポイントのネットワークにアクセスした後に、前記ハンドオーバリソースプール構成情報を前記移動局に送信し、又は、前記移動局が間もなく前記第１ネットワークアクセスポイントから前記第２ネットワークアクセスポイントにハンドオーバすることが確定された場合、前記ハンドオーバリソースプール構成情報を前記移動局に送信するように構成される。
【０１５９】
ここで、送信ユニット１０２は、具体的に、システム情報ブロードキャストによって、前記ハンドオーバリソースプール構成情報を前記移動局に送信し、又は、制御シグナリングによって、前記ハンドオーバリソースプール構成情報を前記移動局に送信するように構成される。ここで、制御シグナリングは、物理層制御シグナリング、例えばＰＤＣＣＨであっても良い。
【０１６０】
選択的なものとして、送信ユニット１０２は、具体的に、前記移動局が間もなく前記第１ネットワークアクセスポイントから前記第２ネットワークアクセスポイントにハンドオーバすることが確定された場合、前記移動局に前記第１指示情報を送信するように構成される。
【０１６１】
それに応じて、確定ユニット１０１は、さらに、前記移動局の移動軌跡に基づいて、前記移動局が間もなくハンドオーバするかどうかを判断し、又は、前記移動局によりフィードバックされた測定信号の強度に基づいて、前記移動局が間もなくハンドオーバするかどうかを判断し、又は、前記移動局の移動軌跡と移動速度に基づいて、前記移動局が間もなくハンドオーバするかどうかを判断するように構成される。
【０１６２】
送信ユニット１０２は、さらに、前記移動局にダウンリンクデータを送信するように構成される。
【０１６３】
選択的なものとして、送信ユニット１０２は、具体的に、少なくとも１つの他のネットワークアクセスポイントと協調し、前記移動局に前記ダウンリンクデータを送信するように構成される。
【０１６４】
ここで、少なくとも１つの他のネットワークアクセスポイントは、第２ネットワークアクセスポイントを含むことができる。
【０１６５】
選択的なものとして、送信ユニット１０２は、具体的に、前記第１ネットワークアクセスポイントと前記少なくとも１つの他のネットワークアクセスポイントは、全く同じ又は全く異なる物理リソース構成情報を使用して、前記移動局に前記ダウンリンクデータを送信する。
【０１６６】
選択的なものとして、送信ユニット１０２は、具体的に、前記移動局に複数の同じダウンリンクデータパケットを送信して、前記移動局がその中の１つのダウンリンクデータパケットをダウンリンク受信データパケットとして確定し、該ダウンリンク受信データパケット内の前記ダウンリンクデータを取得するように構成される。
【０１６７】
受信ユニット１０３は、さらに、前記移動局が前記ハンドオーバリソースを使用して送信したアップリンクデータを受信するように構成される。
【０１６８】
選択的なものとして、受信ユニット１０３は、具体的に、少なくとも１つの他のネットワークアクセスポイントと協調し、前記移動局が前記ハンドオーバリソースを使用して送信した前記アップリンクデータを受信するように構成される。
【０１６９】
選択的なものとして、受信ユニット１０３は、具体的に、前記第１ネットワークアクセスポイントと前記少なくとも１つの他のネットワークアクセスポイントは、全く同じ又は全く異なる物理リソース構成情報を使用して、前記移動局が前記ハンドオーバリソースを使用して送信した前記アップリンクデータを受信するように構成される。
【０１７０】
ここで、少なくとも１つの他のネットワークアクセスポイントは、第２ネットワークアクセスポイントを含むことができる。
【０１７１】
選択的なものとして、受信ユニット１０３は、具体的に、前記移動局により送信された複数の同じアップリンクデータパケットを受信し、その中の１つのアップリンクデータパケットをアップリンク受信データパケットとして確定し、該アップリンク受信データパケット内の前記アップリンクデータを取得するように構成される。
【０１７２】
注意すべきものとして、本発明の実施例において、確定ユニット１０１はプロセッサによって実現され、送信ユニット１０２は送信機によって実現され、受信ユニット１０３は受信機によって実現されることができる。図６に示すように、ネットワークアクセスポイント１１は、プロセッサ１１１、受信機１１２、送信機１１３及び記憶装置１１４を含む。ここで、記憶装置１１４は、上記命令、情報、プロセッサ１１１によって実行されるコード等を記憶するために用いられる。
【０１７３】
ネットワークアクセスポイント１１における各要件は、バスシステム１１４によって接続され、ここのバスシステム１１５は、データバス以外に、電源バス、制御バス及び状態信号バスを含む。
【０１７４】
図５に示すネットワークアクセスポイント１０又は図６に示すネットワークアクセスポイント１１は、上記図２〜図４の方法実施例における第１ネットワークアクセスポイントによって実現される各プロセスを実行することができ、重複を避けるために、ここで省略する。
【０１７５】
図７は本発明の１つの実施例における移動局の構成のブロック図である。図７に示す移動局２０は、取得ユニット２０１、受信ユニット２０２及び通信ユニット２０３を含む。
【０１７６】
取得ユニット２０１は、第１ネットワークアクセスポイントにより送信されたハンドオーバリソースプール構成情報を取得するように構成される。
【０１７７】
受信ユニット２０２は、前記第１ネットワークアクセスポイントにより送信された第１指示情報を受信するように構成され、前記第１指示情報は、前記移動局が取得ユニット２０１により取得された前記ハンドオーバリソースプール内のハンドオーバリソースを使用することを指示するために用いられる。
【０１７８】
通信ユニット２０３は、受信ユニット２０２により受信された前記第１指示情報に従って、前記ハンドオーバリソースを使用して、前記第１ネットワークアクセスポイント、前記第２ネットワークアクセスポイント、及び他の移動局のうちの少なくとも１つと通信を行うように構成される。
【０１７９】
ここで、前記ハンドオーバリソースの構成情報は、物理時間周波数リソースブロックの位置情報、変調符号化構成情報、基準信号の構成情報、アンテナ構成情報のうちの少なくとも１つを含む。
【０１８０】
前記ハンドオーバリソースプール構成情報は、前記第１ネットワークアクセスポイントがシステム情報ブロードキャストにより送信され、又は、前記ハンドオーバリソースプール構成情報は、前記第１ネットワークアクセスポイントが制御シグナリングにより送信されても良い。例えば、制御シグナリングがＰＤＣＣＨである。
【０１８１】
選択的なものとして、第１指示情報は、物理層制御シグナリングのリザーブ情報ビットによって示され、又は、第１指示情報は、割り当てた新しいＲＮＴＩによって示され、又は、第１指示情報は、新しい物理層制御シグナリングフォーマットによって示される。
【０１８２】
ここで、前記移動局は前記第１ネットワークアクセスポイントに同期し、又は、前記移動局と前記第１ネットワークアクセスポイントとの間に固定の第２タイミングオフセット値を有する。
【０１８３】
選択的なものとして、取得ユニット２０１は、第１受信サブユニットを含み、第１受信サブユニットは、前記移動局が前記第１ネットワークアクセスポイントのネットワークにアクセスする時に、前記第１ネットワークアクセスポイントにより送信された前記ハンドオーバリソースプール構成情報を受信し、又は、前記移動局が前記第１ネットワークアクセスポイント的ネットワークにアクセスした後に、前記第１ネットワークアクセスポイントにより送信された前記ハンドオーバリソースプール構成情報を受信し、又は、前記移動局が間もなく前記第１ネットワークアクセスポイントから前記第２ネットワークアクセスポイントにハンドオーバする時に、前記第１ネットワークアクセスポイントにより送信された前記ハンドオーバリソースプール構成情報を受信するように構成される。
【０１８４】
選択的なものとして、受信ユニット２０２は、さらに、前記第１ネットワークアクセスポイントにより送信された第２指示情報を受信し、前記第２指示情報に従って、前記第２ネットワークアクセスポイントのアップリンク同期情報を取得するように構成され、前記第２指示情報は、第１ネットワークアクセスポイントと第２ネットワークアクセスポイントとの同期情報、前記移動局の速度情報、前記移動局の運動軌跡情報のうちの少なくとも１つを含む。
【０１８５】
選択的なものとして、通信ユニット２０３は、送信サブユニットを含み、送信サブユニットは、前記第１ネットワークアクセスポイント及び／又は前記第２ネットワークアクセスポイントが前記アップリンクデータを受信するように、前記ハンドオーバリソースを使用してアップリンクデータを送信するように構成される。
【０１８６】
ここで、送信サブユニットは、具体的に、前記アップリンクデータが前記第１ネットワークアクセスポイント及び前記第２ネットワークアクセスポイントに同時に到達するように、前記ハンドオーバリソースを使用して、所定のＣＰ値で前記アップリンクデータを送信するように構成される。ここで、前記所定のＣＰ値は固定の閾値より大きい。
【０１８７】
選択的なものとして、通信ユニット２０３は、第２受信サブユニットを含み、前記第２受信サブユニットは、前記ハンドオーバリソースを使用して前記第１ネットワークアクセスポイント及び／又は前記第２ネットワークアクセスポイントにより送信されたダウンリンクデータを受信するように構成される。
【０１８８】
通信ユニット２０３は、さらに、確定サブユニットと取得サブユニットを含む。前記第２受信サブユニットは、具体的に、前記第１ネットワークアクセスポイント及び／又は前記第２ネットワークアクセスポイントにより送信された複数の同じダウンリンクデータパケットを受信するように構成される。前記確定サブユニットは、前記第２受信サブユニットにより受信された前記複数の同じダウンリンクデータパケットのうちの１つをダウンリンク受信データパケットとして確定するように構成される。前記取得サブユニットは、前記確定サブユニットにより確定された前記ダウンリンク受信データパケットのうちの前記ダウンリンクデータを取得するように構成される。
【０１８９】
選択的なものとして、通信ユニット２０３は、前記ハンドオーバリソースを使用して前記他の移動局により送信された第１データを受信し、及び／又は、前記ハンドオーバリソースを使用して前記他の移動局に第２データを送信するように構成される。
【０１９０】
注意すべきものとして、本発明の実施例において、取得ユニット２０１、受信ユニット２０２及び、取得サブユニット、第１受信サブユニット及び第２受信サブユニットは、受信機によって実現され、通信ユニット２０３と確定サブユニットは、プロセッサによって実現され、送信サブユニットは送信機によって実現されることができる。図８に示すように、移動局２１は、プロセッサ２１１、受信機２１２、送信機２１３及び記憶装置２１４を含む。ここで、記憶装置２１４は、上記命令、情報、プロセッサ２１１によって実行されるコード等を記憶するために用いられる。
【０１９１】
移動局２１における各要件は、バスシステム２１４によって接続され、ここのバスシステム２１５は、データバスの以外に、電源バス、制御バス及び状態信号バスを更に含む。
【０１９２】
図７に示す移動局２０又は図８に示す移動局２１は、上記図２〜図４の方法実施例における移動局によって実現される各プロセスを実行することができ、重複を避けるために、ここで省略する。
【０１９３】
本発明の実施例におけるプロセッサは集積回路チップであってもよく、信号処理機能を備える。実現プロセスにおいて、上記方法の実施例における各ステップはプロセッサにおけるハードウェアの集積ロジック回路又はソフトウェア形態のコマンドにより完了されてもよい。上記プロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、ディスクリートゲート又はトランジスタロジックデバイス、ディスクリートハードウェア部材であってもよい。本発明の実施例において開示される各方法、ステップ及びロジックブロック図を実現又は実行することができる。汎用プロセッサはマイクロプロセッサであってもよい又は該プロセッサはいずれかの従来のプロセッサなどであってもよい。本発明の実施例と組み合わせて開示された方法のステップはハードウェア復号プロセッサによって実行されて完了され、又は復号プロセッサにおけるハードウェアモジュール及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒質はメモリに位置し、プロセッサはメモリにおける情報を読み取り、そのハードウェアと組み合わせて上記方法のステップを完了する。
【０１９４】
本発明の実施例におけるメモリは揮発性記憶装置又は不揮発性記憶装置であってもよく、又は揮発性記憶装置及び不揮発性記憶装置両者を含むことができることが理解できる。その中、不揮発性記憶装置は読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ  ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであってもよい。揮発性記憶装置は外部キャッシュメモリとして機能するランダムアクセスメモリ（ＲＡＭ：Ｒａｎｄｏｍ  Ａｃｃｅｓｓ  Ｍｅｍｏｒｙ）であってもよい。制限的でなく例示的な説明により、多くの形態のＲＡＭは利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（ＳＤＲＡＭ：Ｓｙｎｃｈｒｏｎｏｕｓ  ＤＲＡＭ）、ダブルデータレート同期動的ランダムアクセスメモリ（ＤＤＲＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲ  ＲＡＭ：Ｄｉｒｅｃｔ  Ｒａｍｂｕｓ  ＲＡＭ）である。注意すべきものとして、本明細書に記載のシステムと方法のメモリはこれらといずれかの他の適切なタイプのメモリを含むことを図るがこれらに限定されない。
【０１９５】
当業者であれば、本明細書に開示された実施例と組み合わせて説明された各例のユニット及びアルゴリズムステップは、電子ハードウェア、又はコンピュータソフトウェアと電子ハードウェアとの組み合わせで実現されてもよいと理解できる。これらの機能がハードウェア又はソフトウェアで実行されるかどうかは技術的解決策の特定アプリケーションと設計約束条件に依存する。専門技術者は各特定のアプリケーションに対して異なる方法を使用して説明された機能を実現することができるが、このような実現は本発明の範囲を超えていると考えられるべきではない。
【０１９６】
当業者は便利且つ簡潔で説明するために、上述したシステム、装置とユニットの具体的な動作プロセスについて上記方法の実施例における対応するプロセスを参照でき、ここでは説明を省略することを明確に理解することができる。
【０１９７】
本出願が提供するいくつかの実施例では、開示されたシステム、装置および方法は他の方式により実現されてもよいと理解すべきである。上述した装置の実施例は例示的なものだけであり、例えば、前記ユニットの区分はロジック機能的区分だけであり、実際に実施する時に他の区分方式もあり得て、例えば複数のユニットまたは部材は組み合わせられてもよいまたは別のシステムに統合されてもよく、又はいくつかの特徴は無視されてもよく、又は実行されなくてもよい。また、示されるまたは議論される相互結合又は直接結合又は通信接続はいくつかのインターフェース、装置又はユニットを介する間接的結合又は通信接続であってもよく、電気的、機械的又は他の形態であってもよい。
【０１９８】
分離部材として説明された前記ユニットは物理的に分離するものであってもよくまたは物理的に分離するものでなくてもよく、ユニットとして表示された部材は物理的ユニットであってもよくまたは物理的ユニットでなくてもよく、すなわち一つの箇所に位置してもよく、又は複数のネットワークユニットに分布してもよい。実際のニーズに応じてその中の一部または全てのユニットを選択して本実施例の解決策の目的を達成することができる。
【０１９９】
また、本発明の各実施例における各機能ユニットは一つの処理ユニットに統合されてもよく、個々のユニットは単独で物理的に存在してもよく、二つまたは二つ以上のユニットは一つのユニットに統合されてもよい。
【０２００】
前記機能はソフトウェア機能ユニットの形態で実現され且つ独立した製品として販売または使用される場合，一つのコンピュータ読み取り可能な記憶媒体に格納されてもよい。このような理解に基づき，本発明の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一台のコンピュータ装置（パーソナルコンピュータ、サーバ、又はネットワーク装置などあってもよい）に本発明の各実施例に記載の方法の全部又は一部のステップを実行させるためのいくつかのコマンドを含む記憶媒体に記憶する。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０２０１】
以上は、本発明の最適的な実施例に過ぎなく、本発明を制限せず、本分野の当業者に対して、本発明が各種類の変更と変化がある。本発明の主旨精神と原則以内に、いかなる改修、同等入れ替わり、改良等が、本発明の保護範囲以内に含まれるべきである。
【図１】
2019507966.tif 000003
【図２】
2019507966.tif 000004
【図３】
2019507966.tif 000005
【図４】
2019507966.tif 000006
【図５】
2019507966.tif 000007
【図６】
2019507966.tif 000008
【図７】
2019507966.tif 000009
【図８】
2019507966.tif 000010
【手続補正書】
【提出日】平成30年8月7日(2018.8.7)
【手続補正１】
【補正対象書類名】特許請求の範囲
【補正対象項目名】全文
【補正方法】変更
【補正の内容】
【特許請求の範囲】
【請求項１】
ハンドオーバのためのリソース構成方法であって、
第１ネットワークノードは、第２ネットワークノードとの間のハンドオーバリソースプール構成情報を確定することと、
前記第１ネットワークノードは、前記ハンドオーバリソースプール構成情報を移動局に送信することと、
前記第１ネットワークノードは、前記移動局に第１指示情報を送信することとを含み、前記第１指示情報が、前記移動局がハンドオーバリソースプール内のハンドオーバリソースを使用して通信を行うことを指示するために用いられる、前記ハンドオーバのためのリソース構成方法。
【請求項２】
前記第１ネットワークノードは、第２ネットワークノードとの間のハンドオーバリソースプール構成情報を確定することは、
前記第１ネットワークノードは、前記第１ネットワークノードと前記第２ネットワークノードとのインターフェースを介して、前記第２ネットワークノードと協調し、前記ハンドオーバリソースプール構成情報を確定することを含み、
前記ハンドオーバリソースプールにおける前記ハンドオーバリソースの構成情報は、
物理時間周波数リソースブロックの位置情報、変調符号化方式情報、基準信号の構成情報、アンテナ構成情報のうちの少なくとも１つを含む、
請求項１に記載のハンドオーバのためのリソース構成方法。
【請求項３】
前記第１ネットワークノードは、前記ハンドオーバリソースプール構成情報を移動局に送信することは、
前記移動局が前記第１ネットワークノードのネットワークにアクセスする時に、前記ハンドオーバリソースプール構成情報を前記移動局に送信すること、又は、
前記移動局が前記第１ネットワークノードのネットワークにアクセスした後に、前記ハンドオーバリソースプール構成情報を前記移動局に送信すること、又は、
前記移動局が間もなく前記第１ネットワークノードから前記第２ネットワークノードにハンドオーバすることが確定された場合、前記ハンドオーバリソースプール構成情報を前記移動局に送信することを含む、
請求項１又は２に記載のハンドオーバのためのリソース構成方法。
【請求項４】
前記第１ネットワークノードは、前記移動局に第１指示情報を送信することは、
前記移動局が間もなく前記第１ネットワークノードから前記第２ネットワークノードにハンドオーバすることが確定された場合、前記移動局に前記第１指示情報を送信することを含み、
前記移動局に第１指示情報を送信する前に、前記ハンドオーバのためのリソース構成方法は、さらに、
前記移動局の移動軌跡に基づいて、前記移動局が間もなく前記第１ネットワークノードから前記第２ネットワークノードにハンドオーバするかどうかを判断すること、又は、
前記移動局によりフィードバックされた測定信号の強度に基づいて、前記移動局が間もなく前記第１ネットワークノードから前記第２ネットワークノードにハンドオーバするかどうかを判断すること、又は、
前記移動局の移動軌跡と移動速度に基づいて、前記移動局が間もなく前記第１ネットワークノードから前記第２ネットワークノードにハンドオーバするかどうかを判断することを含む、
請求項１〜３のいずれか１項に記載のハンドオーバのためのリソース構成方法。
【請求項５】
前記ハンドオーバリソースプール構成情報を前記移動局に送信することは、
システム情報ブロードキャストによって、前記ハンドオーバリソースプール構成情報を前記移動局に送信すること、又は、
制御シグナリングによって、前記ハンドオーバリソースプール構成情報を前記移動局に送信することを含み、
前記第１指示情報は、物理層制御シグナリングのリザーブ情報ビットによって示され、又は、
前記第１指示情報は、割り当てた新しい無線ネットワーク一時識別子（ＲＮＴＩ）によって示され、又は、
前記第１指示情報は、新しい物理層制御シグナリングフォーマットによって示される、
請求項１〜４のいずれか１項に記載のハンドオーバのためのリソース構成方法。
【請求項６】
前記ハンドオーバのためのリソース構成方法は、さらに、
前記移動局が前記ハンドオーバリソースを使用して送信したアップリンクデータを受信することを含み、
前記移動局が前記ハンドオーバリソースを使用して送信したアップリンクデータを受信することは、
前記第１ネットワークノードは、少なくとも１つの他のネットワークノードと協調し、前記移動局が前記ハンドオーバリソースを使用して送信した前記アップリンクデータを受信することを含む、
請求項１〜５のいずれか１項に記載のハンドオーバのためのリソース構成方法。
【請求項７】
前記第１ネットワークノードと前記少なくとも１つの他のネットワークノードとは、全く同じ又は全く異なる物理リソース構成情報を使用して、前記移動局が前記ハンドオーバリソースを使用して送信した前記アップリンクデータを受信し、
前記少なくとも１つの他のネットワークノードは、前記第２ネットワークノードを含む、
請求項６に記載のハンドオーバのためのリソース構成方法。
【請求項８】
前記移動局が前記ハンドオーバリソースを使用して送信したアップリンクデータを受信することは、
前記移動局により送信された複数の同じアップリンクデータパケットを受信し、その中の１つのアップリンクデータパケットをアップリンク受信データパケットとして確定し、該アップリンク受信データパケット内の前記アップリンクデータを取得することを含む、
請求項６〜７のいずれか１項に記載のハンドオーバのためのリソース構成方法。
【請求項９】
前記ハンドオーバのためのリソース構成方法は、さらに、
前記第１ネットワークノードは前記移動局にダウンリンクデータを送信することを含み、
前記移動局にダウンリンクデータを送信することは、
前記第１ネットワークノードは、少なくとも１つの他のネットワークノードと協調し、前記移動局に前記ダウンリンクデータを送信することを含み、
前記第１ネットワークノードと前記少なくとも１つの他のネットワークノードは、全く同じ又は全く異なる物理リソース構成情報を使用して、前記移動局に前記ダウンリンクデータを送信する、
請求項１〜８のいずれか１項に記載のハンドオーバのためのリソース構成方法。
【請求項１０】
前記第１指示情報は、前記移動局がハンドオーバリソースプールのリソースを利用して、前記第１ネットワークノード及び前記第２ネットワークノードのうちの少なくとも１つと通信するように指示するために用いられる、
請求項１〜９のいずれか１項に記載のハンドオーバのためのリソース構成方法。
【請求項１１】
ハンドオーバのためのリソース構成方法であって、
移動局は、第１ネットワークノードにより送信されたハンドオーバリソースプール構成情報を取得することと、
前記移動局は、前記第１ネットワークノードにより送信された第１指示情報を受信することと、
前記移動局は、前記第１指示情報に従って、ハンドオーバリソースを使用して前記第１ネットワークノード、第２ネットワークノード、他の移動局のうちの少なくとも１つと通信することとを含み、
前記第１指示情報が、前記移動局がハンドオーバリソースプール内のハンドオーバリソースを使用することを指示するために用いられる、前記ハンドオーバのためのリソース構成方法。
【請求項１２】
前記移動局は、第１ネットワークノードにより送信されたハンドオーバリソースプール構成情報を取得することは、
前記移動局は、前記第１ネットワークノードのネットワークにアクセスする時に、前記第１ネットワークノードにより送信された前記ハンドオーバリソースプール構成情報を受信すること、又は、
前記移動局は、前記第１ネットワークノードのネットワークにアクセスした後に、前記第１ネットワークノードにより送信された前記ハンドオーバリソースプール構成情報を受信すること、又は、
前記移動局は、間もなく前記第１ネットワークノードから前記第２ネットワークノードにハンドオーバする時に、前記第１ネットワークノードにより送信された前記ハンドオーバリソースプール構成情報を受信することを含み、
前記ハンドオーバリソースプール構成情報は、前記第１ネットワークノードによりシステム情報ブロードキャストで送信され、又は、
前記ハンドオーバリソースプール構成情報は、前記第１ネットワークノードにより制御シグナリングで送信される、
請求項１１に記載のハンドオーバのためのリソース構成方法。
【請求項１３】
前記第１指示情報は、物理層制御シグナリングのリザーブ情報ビットによって示され、又は、
前記第１指示情報は、割り当てた新しい無線ネットワーク一時識別子（ＲＮＴＩ）によって示され、又は、
前記第１指示情報は、新しい物理層制御シグナリングフォーマットによって示される
請求項１１〜１２のいずれか１項に記載のハンドオーバのためのリソース構成方法。
【請求項１４】
前記第１ネットワークノード、前記第２ネットワークノード、他の移動局のうちの少なくとも１つと通信することは、
前記移動局が前記ハンドオーバリソースを使用してアップリンクデータを送信して、前記第１ネットワークノード及び/又は前記第２ネットワークノードが前記アップリンクデータを受信することを含み、
前記移動局は前記ハンドオーバリソースを使用してアップリンクデータを送信することは、
前記移動局は、前記アップリンクデータが前記第１ネットワークノード及び前記第２ネットワークノードに同時に到達するように、前記ハンドオーバリソースを使用して、所定のサイクリックプレフィックス（ＣＰ）値で前記アップリンクデータを送信することを含み、
ここで、前記所定のＣＰ値が固定の閾値より大きい、
請求項１１〜１３のいずれか１項に記載のハンドオーバのためのリソース構成方法。
【請求項１５】
移動局であって、
第１ネットワークノードにより送信されたハンドオーバリソースプール構成情報を取得するように構成される取得ユニットと、
前記第１ネットワークノードにより送信された第１指示情報を受信するように構成される受信ユニットと、
前記受信ユニットにより受信された前記第１指示情報に従って、ハンドオーバリソースを使用して、前記第１ネットワークノード、第２ネットワークノード、他の移動局のうちの少なくとも１つと通信するように構成される通信ユニットとを含み、
前記第１指示情報が、前記移動局が前記取得ユニットにより取得されたハンドオーバリソースプール内のハンドオーバリソースを使用することを指示するために用いられる、前記移動局。
【国際調査報告】
2019507966.tif 000011
2019507966.tif 000012
2019507966.tif 000013
2019507966.tif 000014